(57)【要約】      （修正有）【課題】商品やサービスに対する消費者の信用度を増大させ、消費者が安心して商品やサービスを選択できる商品情報提供システム及びサービス情報提供システムを提供する。【解決手段】商品情報提供システム１は、所定の商品の情報を含み、商品提供者の端末から送信された情報を、商品提供者情報として記録する商品提供者情報記録手段６と、商品提供者から提供された商品の情報と商品の品質理解のための情報を含み、商品提供者とは異なる情報提供者の端末から送信された情報を、情報提供者情報として記録する情報提供者情報記録手段７Ａ〜７Ｆと、情報提供者情報のうち、商品提供者が選択した情報提供者情報である選択情報提供者情報に含まれる品質理解のための情報若しくは品質理解のための情報にアクセス可能な識別情報を出力する情報出力手段８と、品質理解のための情報が利用された情報提供者に対して、ポイントを付与するポイント付与手段９とを備える。【選択図】図１
2020194527.tif 000002
【特許請求の範囲】
【請求項１】
所定の商品の情報を含み、商品提供者の端末から送信された情報を、商品提供者情報として記録する商品提供者情報記録手段と、
前記商品提供者から提供された前記商品の情報と、前記商品提供者から提供された前記商品の品質理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、
前記情報出力手段が情報を出力することによって、前記品質理解のための情報が利用された前記情報提供者に対して、ポイントを付与するポイント付与手段と、を備え、
前記情報出力手段は、
前記選択情報提供者情報に含まれる複数の前記品質理解のための情報の中から、前記商品提供者及び前記情報提供者とは異なる情報受領者が選択した前記品質理解のための情報を出力する、
若しくは、
前記選択情報提供者情報に含まれる複数の前記品質理解のための情報の中から、前記情報受領者が選択した前記品質理解のための情報にアクセス可能な識別情報を出力する、
若しくは、
前記選択情報提供者情報である複数の前記情報提供者情報の中から、前記情報受領者が選択した前記情報提供者情報に含まれる前記品質理解のための情報を出力する、
若しくは、
前記選択情報提供者情報である複数の前記情報提供者情報の中から、前記情報受領者が選択した前記情報提供者情報に含まれる前記品質理解のための情報にアクセス可能な識別情報を出力する
商品情報提供システム。
【請求項２】
所定の商品の情報を含み、商品提供者の端末から送信された情報を、商品提供者情報として記録する商品提供者情報記録手段と、
前記商品提供者から提供された前記商品の情報と、前記商品提供者から提供された前記商品の品質理解のための付属物の情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記商品提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
商品情報提供システム。
【請求項３】
前記商品提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１または請求項２に記載の商品情報提供システム。
【請求項４】
前記情報受領者の端末から送信された第２の特定情報であって、前記選択情報提供者情報に含まれる複数の前記品質理解のための情報のうち、若しくは、前記選択情報提供者情報に含まれる複数の前記付属物の情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項１、請求項２または請求項３に記載の商品情報提供システム。
【請求項５】
前記商品提供者情報の少なくとも一部、若しくは、前記情報提供者情報の少なくとも一部、若しくは、前記商品提供者情報の少なくとも一部及び前記情報提供者情報の少なくとも一部、の情報に基づいて、人工知能により所定の情報をＡＩ情報として記録するＡＩ情報記録手段を備える
請求項１、請求項２、請求項３または請求項４に記載の商品情報提供システム。
【請求項６】
前記商品提供者情報記録手段に記録された商品提供者情報の少なくとも一部、若しくは、前記情報提供者情報記録手段に記録された情報提供者情報の少なくとも一部、若しくは、前記商品提供者情報記録手段に記録された商品提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１、請求項２、請求項３または請求項４に記載の商品情報提供システム。
【請求項７】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項１、請求項２、請求項３、請求項４、請求項５または請求項６に記載の商品情報提供システム。
【請求項８】
前記商品提供者情報は、前記商品提供者が提供する前記商品の品質理解のための情報、若しくは、前記付属物の情報を含む
請求項１、請求項２、請求項３、請求項４、請求項５、請求項６または請求項７に記載の商品情報提供システム。
【請求項９】
商品提供者から提供された商品の品質理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、
前記情報出力手段が情報を出力することによって、前記品質理解のための情報が利用された前記情報提供者に対して、ポイントを付与するポイント付与手段と、を備え、
前記情報出力手段は、
前記選択情報提供者情報に含まれる複数の前記品質理解のための情報の中から、前記商品提供者及び前記情報提供者とは異なる情報受領者が選択した前記品質理解のための情報を出力する、
若しくは、
前記選択情報提供者情報に含まれる複数の前記品質理解のための情報の中から、前記情報受領者が選択した前記品質理解のための情報にアクセス可能な識別情報を出力する、
若しくは、
前記選択情報提供者情報である複数の前記情報提供者情報の中から、前記情報受領者が選択した前記情報提供者情報に含まれる前記品質理解のための情報を出力する、
若しくは、
前記選択情報提供者情報である複数の前記情報提供者情報の中から、前記情報受領者が選択した前記情報提供者情報に含まれる前記品質理解のための情報にアクセス可能な識別情報を出力する
商品情報提供システム。
【請求項１０】
商品提供者から提供された商品の品質理解のための付属物の情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記商品提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
商品情報提供システム。
【請求項１１】
前記商品提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項９または請求項１０に記載の商品情報提供システム。
【請求項１２】
前記情報受領者の端末から送信された第２の特定情報であって、前記選択情報提供者情報に含まれる複数の前記品質理解のための情報のうち、若しくは、前記選択情報提供者情報に含まれる複数の前記付属物の情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項９、請求項１０または請求項１１に記載の商品情報提供システム。
【請求項１３】
前記情報提供者情報の少なくとも一部、の情報に基づいて、人工知能により所定の情報をＡＩ情報として記録するＡＩ情報記録手段を備える
請求項９、請求項１０、請求項１１または請求項１２に記載の商品情報提供システム。
【請求項１４】
前記情報提供者情報記録手段に記録された情報提供者情報の少なくとも一部、の情報に基づいて、人工知能により所定の情報をＡＩ情報として出力するＡＩ情報出力手段を備える
請求項９、請求項１０、請求項１１または請求項１２に記載の商品情報提供システム。
【請求項１５】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項９、請求項１０、請求項１１、請求項１２、請求項１３または請求項１４に記載の商品情報提供システム。
【請求項１６】
所定のサービスの情報を含み、サービス提供者の端末から送信された情報を、サービス提供者情報として記録するサービス提供者情報記録手段と、
前記サービス提供者から提供された前記サービスの情報と、前記サービス提供者から提供された前記サービスの品質理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、
前記情報出力手段が情報を出力することによって、前記品質理解のための情報が利用された前記情報提供者に対して、ポイントを付与するポイント付与手段と、を備え、
前記情報出力手段は、
前記選択情報提供者情報に含まれる複数の前記品質理解のための情報の中から、前記サービス提供者及び前記情報提供者とは異なる情報受領者が選択した前記品質理解のための情報を出力する、
若しくは、
前記選択情報提供者情報に含まれる複数の前記品質理解のための情報の中から、前記情報受領者が選択した前記品質理解のための情報にアクセス可能な識別情報を出力する、
若しくは、
前記選択情報提供者情報である複数の前記情報提供者情報の中から、前記情報受領者が選択した前記情報提供者情報に含まれる前記品質理解のための情報を出力する、
若しくは、
前記選択情報提供者情報である複数の前記情報提供者情報の中から、前記情報受領者が選択した前記情報提供者情報に含まれる前記品質理解のための情報にアクセス可能な識別情報を出力する
サービス情報提供システム。
【請求項１７】
所定のサービスの情報を含み、サービス提供者の端末から送信された情報を、サービス提供者情報として記録するサービス提供者情報記録手段と、
前記サービス提供者から提供された前記サービスの情報と、前記サービス提供者から提供された前記サービスの品質理解のための付属物の情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記サービス提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
サービス情報提供システム。
【請求項１８】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１６または請求項１７に記載のサービス情報提供システム。
【請求項１９】
前記情報受領者の端末から送信された第２の特定情報であって、前記選択情報提供者情報に含まれる複数の前記品質理解のための情報のうち、若しくは、前記選択情報提供者情報に含まれる複数の前記付属物の情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項１６、請求項１７または請求項１８に記載のサービス情報提供システム。
【請求項２０】
前記サービス提供者情報の少なくとも一部、若しくは、前記情報提供者情報の少なくとも一部、若しくは、前記サービス提供者情報の少なくとも一部及び前記情報提供者情報の少なくとも一部、の情報に基づいて、人工知能により所定の情報をＡＩ情報として記録するＡＩ情報記録手段を備える
請求項１６、請求項１７、請求項１８または請求項１９に記載のサービス情報提供システム。
【請求項２１】
前記サービス提供者情報記録手段に記録されたサービス提供者情報の少なくとも一部、若しくは、前記情報提供者情報記録手段に記録された情報提供者情報の少なくとも一部、若しくは、前記サービス提供者情報記録手段に記録されたサービス提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１６、請求項１７、請求項１８または請求項１９に記載のサービス情報提供システム。
【請求項２２】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項１６、請求項１７、請求項１８、請求項１９、請求項２０または請求項２１に記載のサービス情報提供システム。
【請求項２３】
前記サービス提供者情報は、前記サービス提供者が提供する前記サービスの品質理解のための情報、若しくは、前記付属物の情報を含む
請求項１６、請求項１７、請求項１８、請求項１９、請求項２０、請求項２１または請求項２２に記載のサービス情報提供システム。
【請求項２４】
サービス提供者から提供されたサービスの品質理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、
前記情報出力手段が情報を出力することによって、前記品質理解のための情報が利用された前記情報提供者に対して、ポイントを付与するポイント付与手段と、を備え、
前記情報出力手段は、
前記選択情報提供者情報に含まれる複数の前記品質理解のための情報の中から、前記サービス提供者及び前記情報提供者とは異なる情報受領者が選択した前記品質理解のための情報を出力する、
若しくは、
前記選択情報提供者情報に含まれる複数の前記品質理解のための情報の中から、前記情報受領者が選択した前記品質理解のための情報にアクセス可能な識別情報を出力する、
若しくは、
前記選択情報提供者情報である複数の前記情報提供者情報の中から、前記情報受領者が選択した前記情報提供者情報に含まれる前記品質理解のための情報を出力する、
若しくは、
前記選択情報提供者情報である複数の前記情報提供者情報の中から、前記情報受領者が選択した前記情報提供者情報に含まれる前記品質理解のための情報にアクセス可能な識別情報を出力する
サービス情報提供システム。
【請求項２５】
サービス提供者から提供されたサービスの品質理解のための付属物の情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記サービス提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
サービス情報提供システム。
【請求項２６】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項２４または請求項２５に記載のサービス情報提供システム。
【請求項２７】
前記情報受領者の端末から送信された第２の特定情報であって、前記選択情報提供者情報に含まれる複数の前記品質理解のための情報のうち、若しくは、前記選択情報提供者情報に含まれる複数の前記付属物の情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項２４、請求項２５または請求項２６に記載のサービス情報提供システム。
【請求項２８】
前記情報提供者情報の少なくとも一部、の情報に基づいて、人工知能により所定の情報をＡＩ情報として記録するＡＩ情報記録手段を備える
請求項２４、請求項２５、請求項２６または請求項２７に記載のサービス情報提供システム。
【請求項２９】
前記情報提供者情報記録手段に記録された情報提供者情報の少なくとも一部、の情報に基づいて、人工知能により所定の情報をＡＩ情報として出力するＡＩ情報出力手段を備える
請求項２４、請求項２５、請求項２６または請求項２７に記載のサービス情報提供システム。
【請求項３０】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項２４、請求項２５、請求項２６、請求項２７、請求項２８または請求項２９に記載のサービス情報提供システム。
【請求項３１】
所定の商品の情報を含み、商品提供者の端末から送信された情報を、商品提供者情報として記録する商品提供者情報記録手段と、
前記商品提供者から提供された前記商品の情報と、前記商品提供者から提供された前記商品の価格の情報、若しくは、前記商品提供者から前記商品を提供されるための契約内容の情報の少なくとも一方を有する契約理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、
前記情報出力手段が情報を出力することによって、前記契約理解のための情報が利用された前記情報提供者に対して、ポイントを付与するポイント付与手段と、を備え、
前記情報出力手段は、
前記選択情報提供者情報に含まれる複数の前記契約理解のための情報の中から、前記商品提供者及び前記情報提供者とは異なる情報受領者が選択した前記契約理解のための情報を出力する、
若しくは、
前記選択情報提供者情報に含まれる複数の前記契約理解のための情報の中から、前記情報受領者が選択した前記契約理解のための情報にアクセス可能な識別情報を出力する、
若しくは、
前記選択情報提供者情報である複数の前記情報提供者情報の中から、前記情報受領者が選択した前記情報提供者情報に含まれる前記契約理解のための情報を出力する、
若しくは、
前記選択情報提供者情報である複数の前記情報提供者情報の中から、前記情報受領者が選択した前記情報提供者情報に含まれる前記契約理解のための情報にアクセス可能な識別情報を出力する
商品情報提供システム。
【請求項３２】
前記商品提供者の端末から送信された第１の特定情報であって、前記情報提供者情報記録手段に記録された複数の前記情報提供者情報のうち、前記選択情報提供者情報を特定するための第１の特定情報を記録する第１の特定情報記録手段を備え、
前記情報出力手段は、前記第１の特定情報記録手段に記録された前記第１の特定情報に基づいて出力する
請求項３１に記載の商品情報提供システム。
【請求項３３】
前記情報受領者の端末から送信された第２の特定情報であって、前記選択情報提供者情報に含まれる複数の前記契約理解のための情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項３１または請求項３２に記載の商品情報提供システム。
【請求項３４】
前記商品提供者情報の少なくとも一部、若しくは、前記情報提供者情報の少なくとも一部、若しくは、前記商品提供者情報の少なくとも一部及び前記情報提供者情報の少なくとも一部、の情報に基づいて、人工知能により所定の情報をＡＩ情報として記録するＡＩ情報記録手段を備える
請求項３１、請求項３２または請求項３３に記載の商品情報提供システム。
【請求項３５】
前記商品提供者情報記録手段に記録された商品提供者情報の少なくとも一部、若しくは、前記情報提供者情報記録手段に記録された情報提供者情報の少なくとも一部、若しくは、前記商品提供者情報記録手段に記録された商品提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項３１、請求項３２または請求項３３に記載の商品情報提供システム。
【請求項３６】
前記情報提供者情報は、前記契約理解のための情報が利用された場合の還元率の情報を含み、
前記ポイント付与手段は、前記情報出力手段が出力する情報を有する前記情報提供者情報に含まれる還元率の情報に応じたポイントを付与する
請求項３１、請求項３２、請求項３３、請求項３４または請求項３５に記載の商品情報提供システム。
【請求項３７】
前記商品提供者情報は、前記商品提供者が提供する前記商品の価格の情報、若しくは、前記商品提供者が前記商品を提供するための契約内容の情報の少なくとも一方を有する契約理解のための情報を含む
請求項３１、請求項３２、請求項３３、請求項３４、請求項３５または請求項３６に記載の商品情報提供システム。
【請求項３８】
商品提供者から提供された商品の価格の情報、若しくは、前記商品提供者から前記商品が提供されるための契約内容の情報の少なくとも一方を有する契約理解のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、
前記情報出力手段が情報を出力することによって、前記契約理解のための情報が利用された前記情報提供者に対して、ポイントを付与するポイント付与手段と、を備え、
前記情報出力手段は、
前記選択情報提供者情報に含まれる複数の前記契約理解のための情報の中から、前記商品提供者及び前記情報提供者とは異なる情報受領者が選択した前記契約理解のための情報を出力する、
若しくは、
前記選択情報提供者情報に含まれる複数の前記契約理解のための情報の中から、前記情報受領者が選択した前記契約理解のための情報にアクセス可能な識別情報を出力する、
若しくは、
前記選択情報提供者情報である複数の前記情報提供者情報の中から、前記情報受領者が選択した前記情報提供者情報に含まれる前記契約理解のための情報を出力する、
若しくは、
前記選択情報提供者情報である複数の前記情報提供者情報の中から、前記情報受領者が選択した前記情報提供者情報に含まれる前記契約理解のための情報にアクセス可能な識別情報を出力する
商品情報提供システム。
【請求項３９】
前記商品提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項３８に記載の商品情報提供システム。
【請求項４０】
前記情報受領者の端末から送信された第２の特定情報であって、前記選択情報提供者情報に含まれる複数の前記契約理解のための情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項３８または請求項３９に記載の商品情報提供システム。
【請求項４１】
前記情報提供者情報の少なくとも一部、の情報に基づいて、人工知能により所定の情報をＡＩ情報として記録するＡＩ情報記録手段を備える
請求項３８、請求項３９または請求項４０に記載の商品情報提供システム。
【請求項４２】
前記情報提供者情報記録手段に記録された情報提供者情報の少なくとも一部、の情報に基づいて、人工知能により所定の情報をＡＩ情報として出力するＡＩ情報出力手段を備える
請求項３８、請求項３９または請求項４０に記載の商品情報提供システム。
【請求項４３】
所定のサービスの情報を含み、サービス提供者の端末から送信された情報を、サービス提供者情報として記録するサービス提供者情報記録手段と、
前記サービス提供者から提供された前記サービスの情報と、前記サービス提供者から提供された前記サービスの価格の情報、若しくは、前記サービス提供者から前記サービスを提供されるための契約内容の情報の少なくとも一方を有する契約理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、
前記情報出力手段が情報を出力することによって、前記契約理解のための情報が利用された前記情報提供者に対して、ポイントを付与するポイント付与手段と、を備え、
前記情報出力手段は、
前記選択情報提供者情報に含まれる複数の前記契約理解のための情報の中から、前記サービス提供者及び前記情報提供者とは異なる情報受領者が選択した前記契約理解のための情報を出力する、
若しくは、
前記選択情報提供者情報に含まれる複数の前記契約理解のための情報の中から、前記情報受領者が選択した前記契約理解のための情報にアクセス可能な識別情報を出力する、
若しくは、
前記選択情報提供者情報である複数の前記情報提供者情報の中から、前記情報受領者が選択した前記情報提供者情報に含まれる前記契約理解のための情報を出力する、
若しくは、
前記選択情報提供者情報である複数の前記情報提供者情報の中から、前記情報受領者が選択した前記情報提供者情報に含まれる前記契約理解のための情報にアクセス可能な識別情報を出力する
サービス情報提供システム。
【請求項４４】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項４３に記載のサービス情報提供システム。
【請求項４５】
前記情報受領者の端末から送信された第２の特定情報であって、前記選択情報提供者情報に含まれる複数の前記契約理解のための情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項４３または請求項４４に記載のサービス情報提供システム。
【請求項４６】
前記サービス提供者情報の少なくとも一部、若しくは、前記情報提供者情報の少なくとも一部、若しくは、前記サービス提供者情報の少なくとも一部及び前記情報提供者情報の少なくとも一部、の情報に基づいて、人工知能により所定の情報をＡＩ情報として記録するＡＩ情報記録手段を備える
請求項４３、請求項４４または請求項４５に記載のサービス情報提供システム。
【請求項４７】
前記サービス提供者情報記録手段に記録されたサービス提供者情報の少なくとも一部、若しくは、前記情報提供者情報記録手段に記録された情報提供者情報の少なくとも一部、若しくは、前記サービス提供者情報記録手段に記録されたサービス提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項４３、請求項４４または請求項４５に記載のサービス情報提供システム。
【請求項４８】
前記情報提供者情報は、前記契約理解のための情報が利用された場合の還元率の情報を含み、
前記ポイント付与手段は、前記情報出力手段が出力する情報を有する前記情報提供者情報に含まれる還元率の情報に応じたポイントを付与する
請求項４３、請求項４４、請求項４５、請求項４６または請求項４７に記載のサービス情報提供システム。
【請求項４９】
前記サービス提供者情報は、前記サービス提供者が提供する前記サービスの契約理解のための情報を含む
請求項４３、請求項４４、請求項４５、請求項４６、請求項４７または請求項４８に記載のサービス情報提供システム。
【請求項５０】
サービス提供者から提供されたサービスの価格、若しくは、前記サービス提供者から前記サービスを提供されるための契約内容の情報の少なくとも一方を有する契約理解のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、
前記情報出力手段が情報を出力することによって、前記契約理解のための情報が利用された前記情報提供者に対して、ポイントを付与するポイント付与手段と、を備え、
前記情報出力手段は、
前記選択情報提供者情報に含まれる複数の前記契約理解のための情報の中から、前記サービス提供者及び前記情報提供者とは異なる情報受領者が選択した前記契約理解のための情報を出力する、
若しくは、
前記選択情報提供者情報に含まれる複数の前記契約理解のための情報の中から、前記情報受領者が選択した前記契約理解のための情報にアクセス可能な識別情報を出力する、
若しくは、
前記選択情報提供者情報である複数の前記情報提供者情報の中から、前記情報受領者が選択した前記情報提供者情報に含まれる前記契約理解のための情報を出力する、
若しくは、
前記選択情報提供者情報である複数の前記情報提供者情報の中から、前記情報受領者が選択した前記情報提供者情報に含まれる前記契約理解のための情報にアクセス可能な識別情報を出力する
サービス情報提供システム。
【請求項５１】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項５０に記載のサービス情報提供システム。
【請求項５２】
前記情報受領者の端末から送信された第２の特定情報であって、前記選択情報提供者情報に含まれる複数の前記契約理解のための情報のうち、若しくは、前記選択情報提供者情報である複数の前記情報提供者情報のうち、出力対象を特定するための前記第２の特定情報を記録する第２の特定情報記録手段を備え、
前記情報出力手段は、前記第２の特定情報記録手段に記録された前記第２の特定情報に基づいて出力する
請求項５０または請求項５１に記載のサービス情報提供システム。
【請求項５３】
前記情報提供者情報の少なくとも一部、の情報に基づいて、人工知能により所定の情報をＡＩ情報として記録するＡＩ情報記録手段を備える
請求項５０、請求項５１または請求項５２に記載のサービス情報提供システム。
【請求項５４】
前記情報提供者情報記録手段に記録された情報提供者情報の少なくとも一部、の情報に基づいて、人工知能により所定の情報をＡＩ情報として出力するＡＩ情報出力手段を備える
請求項５０、請求項５１または請求項５２に記載のサービス情報提供システム。
【請求項５５】
前記情報提供者情報は、前記契約理解のための情報が利用された場合の還元率の情報を含み、
前記ポイント付与手段は、前記情報出力手段が出力する情報を有する前記情報提供者情報に含まれる還元率の情報に応じたポイントを付与する
請求項５０、請求項５１、請求項５２、請求項５３または請求項５４に記載のサービス情報提供システム。
【発明の詳細な説明】
【技術分野】
【０００１】
本発明は、商品情報提供システム及びサービス情報提供システムに関する。詳しくは、消費者が安心して商品やサービスの選択をすることが可能となる商品情報提供システム及びサービス情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そのため、食品の原料粉末見本は、食品の品質についての情報を得ることができる要因ではあるものの、たった１つの要因に過ぎず、原料粉末見本を食品に添付して食品を提供するといった特許文献１に記載の技術のみでは、消費者が安心して商品やサービスを選択するといった目的を実現するのに充分ではない場合がある。
【０００９】
本発明は、以上の点に鑑みて創案されたものであって、より一層充分に消費者が安心して商品やサービスを選択することが可能となる商品情報提供システム及びサービス情報提供システムを提供することを目的とするものである。
【課題を解決するための手段】
【００１０】
上記の目的を達成するために、本発明の商品情報提供システムは、所定の商品の情報を含み、商品提供者の端末から送信された情報を、商品提供者情報として記録する商品提供者情報記録手段と、前記商品提供者から提供された前記商品の情報と、前記商品提供者から提供された前記商品の品質理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、前記情報出力手段が情報を出力することによって、前記品質理解のための情報が利用された前記情報提供者に対して、ポイントを付与するポイント付与手段と、を備え、前記情報出力手段は、前記選択情報提供者情報に含まれる複数の前記品質理解のための情報の中から、前記商品提供者及び前記情報提供者とは異なる情報受領者が選択した前記品質理解のための情報を出力する、若しくは、前記選択情報提供者情報に含まれる複数の前記品質理解のための情報の中から、前記情報受領者が選択した前記品質理解のための情報にアクセス可能な識別情報を出力する、若しくは、前記選択情報提供者情報である複数の前記情報提供者情報の中から、前記情報受領者が選択した前記情報提供者情報に含まれる前記品質理解のための情報を出力する、若しくは、前記選択情報提供者情報である複数の前記情報提供者情報の中から、前記情報受領者が選択した前記情報提供者情報に含まれる前記品質理解のための情報にアクセス可能な識別情報を出力する。
【００１１】
また、上記の目的を達成するために、本発明の商品情報提供システムは、所定の商品の情報を含み、商品提供者の端末から送信された情報を、商品提供者情報として記録する商品提供者情報記録手段と、前記商品提供者から提供された前記商品の情報と、前記商品提供者から提供された前記商品の品質理解のための付属物の情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、前記情報出力手段が情報を出力することによって、前記付属物の情報が利用された前記情報提供者に対して、ポイントを付与するポイント付与手段と、を備え、前記情報出力手段は、前記選択情報提供者情報に含まれる複数の前記付属物の情報の中から、前記商品提供者及び前記情報提供者とは異なる情報受領者が選択した前記付属物の情報を出力する、若しくは、前記選択情報提供者情報に含まれる複数の前記付属物の情報の中から、前記情報受領者が選択した前記付属物の情報にアクセス可能な識別情報を出力する、若しくは、前記選択情報提供者情報である複数の前記情報提供者情報の中から、前記情報受領者が選択した前記情報提供者情報に含まれる前記付属物の情報を出力する、若しくは、前記選択情報提供者情報である複数の前記情報提供者情報の中から、前記情報受領者が選択した前記情報提供者情報に含まれる前記付属物の情報にアクセス可能な識別情報を出力する。
【００１２】
ここで、商品提供者情報として、所定の商品の情報が商品提供者情報記録手段に記録されることによって、商品提供者が情報提供者に提供した所定の商品を特定することができる。
【００１３】
また、情報提供者情報として、商品提供者から提供された商品の情報が情報提供者情報記録手段に記録されることによって、情報提供者が商品提供者から提供された所定の商品を特定することができる。
【００１４】
そして、所定の商品の特定を、商品を提供する側（商品提供者）と提供される側（情報提供者）の双方の情報に基づいて行うことによって、情報の改竄や偽造等を抑止することができる。
即ち、同一内容であるべき情報（所定の商品の情報）について、それを提供する側（商品提供者）と提供される側（情報提供者）の双方から記録することによって、情報の改竄や偽造等を抑止することができる。
なお、商品提供者情報記録手段が、情報提供者情報記憶手段と異なる場合には、より一層情報の改竄や偽造等を抑止することができる。
【００１５】
また、情報提供者情報として、品質理解のための情報（「品質理解のための付属物の情報」も含む。以下、同じ。）が情報提供者情報記録手段に記録されることによって、商品提供者から提供された商品の品質を特定することができる。
【００１６】
ここで、商品提供者情報として、品質理解のための情報が商品提供者情報記録手段に記録される場合には、商品提供者が提供した商品の品質を特定することができる。
【００１７】
そして、所定の商品の品質の特定を、商品を提供する側（商品提供者）と提供される側（情報提供者）の双方の情報に基づいて行うことによって、情報の改竄や偽造等を抑止することができる。
即ち、同一内容であるべき情報（商品の品質理解のための情報）について、商品を提供する側（商品提供者）と商品を提供される側（情報提供者）の双方から記録することによって、情報の改竄や偽造等を抑止することができる。
なお、商品提供者情報記録手段が、情報提供者情報記録手段と異なる場合には、より一層情報の改竄や偽造等を抑止することができる。
【００１８】
また、情報出力手段が、選択情報提供者情報に含まれる品質理解のための情報、若しくは、品質理解のための情報にアクセス可能な識別情報を出力することによって、消費者は情報提供者が商品提供者から提供された商品の品質を把握することができる。
【００１９】
更に、ポイント付与手段が品質理解のための情報が利用された情報提供者に対してポイントを付与することによって、品質理解のための情報が利用されたいという情報提供者のインセンティブを高めることができる。
【００２０】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、商品提供者が選択する情報提供者情報は、単数であっても複数であっても良い。
【００２１】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００２２】
ここで、ＡＩ情報記録手段を備える場合には、商品提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００２３】
また、情報提供者情報として、還元率の情報が情報提供者情報記録手段に記録される場合には、品質理解のための情報が利用された場合の還元率を特定することができる。
【００２４】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００２５】
また、上記の目的を達成するために、本発明の商品情報提供システムは、商品提供者から提供された商品の品質理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、前記情報出力手段が情報を出力することによって、前記品質理解のための情報が利用された前記情報提供者に対して、ポイントを付与するポイント付与手段と、を備え、前記情報出力手段は、前記選択情報提供者情報に含まれる複数の前記品質理解のための情報の中から、前記商品提供者及び前記情報提供者とは異なる情報受領者が選択した前記品質理解のための情報を出力する、若しくは、前記選択情報提供者情報に含まれる複数の前記品質理解のための情報の中から、前記情報受領者が選択した前記品質理解のための情報にアクセス可能な識別情報を出力する、若しくは、前記選択情報提供者情報である複数の前記情報提供者情報の中から、前記情報受領者が選択した前記情報提供者情報に含まれる前記品質理解のための情報を出力する、若しくは、前記選択情報提供者情報である複数の前記情報提供者情報の中から、前記情報受領者が選択した前記情報提供者情報に含まれる前記品質理解のための情報にアクセス可能な識別情報を出力する。
【００２６】
また、上記の目的を達成するために、本発明の商品情報提供システムは、商品提供者から提供された商品の品質理解のための付属物の情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、前記情報出力手段が情報を出力することによって、前記付属物の情報が利用された前記情報提供者に対して、ポイントを付与するポイント付与手段と、を備え、前記情報出力手段は、前記選択情報提供者情報に含まれる複数の前記付属物の情報の中から、前記商品提供者及び前記情報提供者とは異なる情報受領者が選択した前記付属物の情報を出力する、若しくは、前記選択情報提供者情報に含まれる複数の前記付属物の情報の中から、前記情報受領者が選択した前記付属物の情報にアクセス可能な識別情報を出力する、若しくは、前記選択情報提供者情報である複数の前記情報提供者情報の中から、前記情報受領者が選択した前記情報提供者情報に含まれる前記付属物の情報を出力する、若しくは、前記選択情報提供者情報である複数の前記情報提供者情報の中から、前記情報受領者が選択した前記情報提供者情報に含まれる前記付属物の情報にアクセス可能な識別情報を出力する。
【００２７】
ここで、情報提供者情報として、品質理解のための情報（「品質理解のための付属物の情報」も含む。以下、同じ。）が情報提供者情報記録手段に記録されることによって、商品提供者から提供された商品の品質を特定することができる。
【００２８】
また、情報出力手段が、選択情報提供者情報に含まれる品質理解のための情報、若しくは、品質理解のための情報にアクセス可能な識別情報を出力することによって、消費者は情報提供者が商品提供者から提供された商品の品質を把握することができる。
【００２９】
更に、ポイント付与手段が品質理解のための情報が利用された情報提供者に対してポイントを付与することによって、品質理解のための情報が利用されたいという情報提供者のインセンティブを高めることができる。
【００３０】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、商品提供者が選択する情報提供者情報は、単数であっても複数であっても良い。
【００３１】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００３２】
ここで、ＡＩ情報記録手段を備える場合には、商品提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００３３】
また、情報提供者情報として、還元率の情報が情報提供者情報記録手段に記録される場合には、品質理解のための情報が利用された場合の還元率を特定することができる。
【００３４】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００３５】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者から提供された前記サービスの情報と、前記サービス提供者から提供された前記サービスの品質理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、前記情報出力手段が情報を出力することによって、前記品質理解のための情報が利用された前記情報提供者に対して、ポイントを付与するポイント付与手段と、を備え、前記情報出力手段は、前記選択情報提供者情報に含まれる複数の前記品質理解のための情報の中から、前記サービス提供者及び前記情報提供者とは異なる情報受領者が選択した前記品質理解のための情報を出力する、若しくは、前記選択情報提供者情報に含まれる複数の前記品質理解のための情報の中から、前記情報受領者が選択した前記品質理解のための情報にアクセス可能な識別情報を出力する、若しくは、前記選択情報提供者情報である複数の前記情報提供者情報の中から、前記情報受領者が選択した前記情報提供者情報に含まれる前記品質理解のための情報を出力する、若しくは、前記選択情報提供者情報である複数の前記情報提供者情報の中から、前記情報受領者が選択した前記情報提供者情報に含まれる前記品質理解のための情報にアクセス可能な識別情報を出力する。
【００３６】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者から提供された前記サービスの情報と、前記サービス提供者から提供された前記サービスの品質理解のための付属物の情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、前記情報出力手段が情報を出力することによって、前記付属物の情報が利用された前記情報提供者に対して、ポイントを付与するポイント付与手段と、を備え、前記情報出力手段は、前記選択情報提供者情報に含まれる複数の前記付属物の情報の中から、前記サービス提供者及び前記情報提供者とは異なる情報受領者が選択した前記付属物の情報を出力する、若しくは、前記選択情報提供者情報に含まれる複数の前記付属物の情報の中から、前記情報受領者が選択した前記付属物の情報にアクセス可能な識別情報を出力する、若しくは、前記選択情報提供者情報である複数の前記情報提供者情報の中から、前記情報受領者が選択した前記情報提供者情報に含まれる前記付属物の情報を出力する、若しくは、前記選択情報提供者情報である複数の前記情報提供者情報の中から、前記情報受領者が選択した前記情報提供者情報に含まれる前記付属物の情報にアクセス可能な識別情報を出力する。
【００３７】
ここで、サービス提供者情報として、所定のサービスの情報がサービス提供者情報記録手段に記録されることによって、サービス提供者が情報提供者に提供したサービスを特定することができる。
【００３８】
また、情報提供者情報として、サービス提供者から提供されたサービスの情報が情報提供者情報記録手段に記録されることによって、情報提供者がサービス提供者から提供された所定のサービスを特定することができる。
【００３９】
そして、所定のサービスの特定を、サービスを提供する側（サービス提供者）と提供される側（情報提供者）の双方の情報に基づいて行うことによって、情報の改竄や偽造等を抑止することができる。
即ち、同一内容であるべき情報（所定のサービスの情報）について、それを提供する側（サービス提供者）と提供される側（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００４０】
ここで、サービス提供者情報として、品質理解のための情報（「品質理解のための付属物の情報」も含む。以下、同じ。）がサービス提供者情報記録手段に記録される場合には、サービス提供者が提供したサービスの品質を特定することができる。
【００４１】
そして、所定のサービスの品質の特定を、サービスを提供する側（サービス提供者）と提供される側（情報提供者）の双方の情報に基づいて行うことによって、情報の改竄や偽造等を抑止することができる。
即ち、同一内容であるべき情報（サービスの品質理解のための情報）について、サービスを提供する側（サービス提供者）とサービスを提供される側（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００４２】
また、情報出力手段が、選択情報提供者情報に含まれる品質理解のための情報、若しくは、品質理解のための情報にアクセス可能な識別情報を出力することによって、消費者は情報提供者がサービス提供者から提供されたサービスの品質を把握することができる。
【００４３】
更に、ポイント付与手段が品質理解のための情報が利用された情報提供者に対してポイントを付与することによって、品質理解のための情報が利用されたいという情報提供者のインセンティブを高めることができる。
【００４４】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、サービス提供者が選択する情報提供者情報は、単数であっても複数であっても良い。
【００４５】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００４６】
ここで、ＡＩ情報記録手段を備える場合には、サービス提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００４７】
また、情報提供者情報として、還元率の情報が情報提供者情報記録手段に記録される場合には、品質理解のための情報が利用された場合の還元率を特定することができる。
【００４８】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００４９】
また、上記の目的を達成するために、本発明のサービス情報提供システムは、サービス提供者から提供されたサービスの品質理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記品質理解のための情報、若しくは、前記選択情報提供者情報に含まれる前記品質理解のための情報にアクセス可能な識別情報を出力する情報出力手段と、前記情報出力手段が情報を出力することによって、前記品質理解のための情報が利用された前記情報提供者に対して、ポイントを付与するポイント付与手段と、を備え、前記情報出力手段は、前記選択情報提供者情報に含まれる複数の前記品質理解のための情報の中から、前記サービス提供者及び前記情報提供者とは異なる情報受領者が選択した前記品質理解のための情報を出力する、若しくは、前記選択情報提供者情報に含まれる複数の前記品質理解のための情報の中から、前記情報受領者が選択した前記品質理解のための情報にアクセス可能な識別情報を出力する、若しくは、前記選択情報提供者情報である複数の前記情報提供者情報の中から、前記情報受領者が選択した前記情報提供者情報に含まれる前記品質理解のための情報を出力する、若しくは、前記選択情報提供者情報である複数の前記情報提供者情報の中から、前記情報受領者が選択した前記情報提供者情報に含まれる前記品質理解のための情報にアクセス可能な識別情報を出力する。
【００５０】
また、上記の目的を達成するために、本発明のサービス情報提供システムは、サービス提供者から提供されたサービスの品質理解のための付属物の情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、前記情報出力手段が情報を出力することによって、前記付属物の情報が利用された前記情報提供者に対して、ポイントを付与するポイント付与手段と、を備え、前記情報出力手段は、前記選択情報提供者情報に含まれる複数の前記付属物の情報の中から、前記サービス提供者及び前記情報提供者とは異なる情報受領者が選択した前記付属物の情報を出力する、若しくは、前記選択情報提供者情報に含まれる複数の前記付属物の情報の中から、前記情報受領者が選択した前記付属物の情報にアクセス可能な識別情報を出力する、若しくは、前記選択情報提供者情報である複数の前記情報提供者情報の中から、前記情報受領者が選択した前記情報提供者情報に含まれる前記付属物の情報を出力する、若しくは、前記選択情報提供者情報である複数の前記情報提供者情報の中から、前記情報受領者が選択した前記情報提供者情報に含まれる前記付属物の情報にアクセス可能な識別情報を出力する。
【００５１】
ここで、情報提供者情報として、品質理解のための情報（「品質理解のための付属物の情報」も含む。以下、同じ。）が情報提供者情報記録手段に記録されることによって、サービス提供者から提供されたサービスの品質を特定することができる。
【００５２】
また、情報出力手段が、選択情報提供者情報に含まれる品質理解のための情報、若しくは、品質理解のための情報にアクセス可能な識別情報を出力することによって、消費者は情報提供者がサービス提供者から提供されたサービスの品質を把握することができる。
【００５３】
更に、ポイント付与手段が品質理解のための情報が利用された情報提供者に対してポイントを付与することによって、品質理解のための情報が利用されたいという情報提供者のインセンティブを高めることができる。
【００５４】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる品質理解のための情報の高品質化が期待できる。なお、サービス提供者が選択する情報提供者情報は、単数であっても複数であっても良い。
【００５５】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００５６】
ここで、ＡＩ情報記録手段を備える場合には、サービス提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００５７】
また、情報提供者情報として、還元率の情報が情報提供者情報記録手段に記録される場合には、品質理解のための情報が利用された場合の還元率を特定することができる。
【００５８】
なお、情報提供者情報は情報提供者の端末から送信される情報であるために、換言すると、還元率の情報を情報提供者自身が決定し、情報提供者情報記録手段に記録することによって、品質理解のための情報が利用されたいという情報提供者のインセンティブが高まることを期待できる。そして、こうしたインセンティブの高まりに伴って、情報提供者情報に含まれる品質理解のための情報の高品質化も期待できる。
【００５９】
また、上記の目的を達成するために、本発明の商品情報提供システムは、所定の商品の情報を含み、商品提供者の端末から送信された情報を、商品提供者情報として記録する商品提供者情報記録手段と、
前記商品提供者から提供された前記商品の情報と、前記商品提供者から提供された前記商品の価格の情報、若しくは、前記商品提供者から前記商品を提供されるための契約内容の情報の少なくとも一方を有する契約理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、前記情報出力手段が情報を出力することによって、前記契約理解のための情報が利用された前記情報提供者に対して、ポイントを付与するポイント付与手段と、を備え、前記情報出力手段は、前記選択情報提供者情報に含まれる複数の前記契約理解のための情報の中から、前記商品提供者及び前記情報提供者とは異なる情報受領者が選択した前記契約理解のための情報を出力する、若しくは、前記選択情報提供者情報に含まれる複数の前記契約理解のための情報の中から、前記情報受領者が選択した前記契約理解のための情報にアクセス可能な識別情報を出力する、若しくは、前記選択情報提供者情報である複数の前記情報提供者情報の中から、前記情報受領者が選択した前記情報提供者情報に含まれる前記契約理解のための情報を出力する、若しくは、前記選択情報提供者情報である複数の前記情報提供者情報の中から、前記情報受領者が選択した前記情報提供者情報に含まれる前記契約理解のための情報にアクセス可能な識別情報を出力する。
【００６０】
ここで、商品提供者情報として、所定の商品の情報が商品提供者情報記録手段に記録されることによって、商品提供者が情報提供者に提供した所定の商品を特定することができる。
【００６１】
また、情報提供者情報として、商品提供者から提供された商品の情報が情報提供者情報記録手段に記録されることによって、情報提供者が商品提供者から提供された所定の商品を特定することができる。
【００６２】
そして、所定の商品の特定を、商品を提供する側（商品提供者）と提供される側（情報提供者）の双方の情報に基づいて行うことによって、情報の改竄や偽造等を抑止することができる。
即ち、同一内容であるべき情報（所定の商品の情報）について、それを提供する側（商品提供者）と提供される側（情報提供者）の双方から記録することによって、情報の改竄や偽造等を抑止することができる。
なお、商品提供者情報記録手段が、情報提供者情報記憶手段と異なる場合には、より一層情報の改竄や偽造等を抑止することができる。
【００６３】
また、情報提供者情報として、契約理解のための情報が情報提供者情報記録手段に記録されることによって、商品提供者が提供した商品の価格や、商品提供者が商品を提供するための契約内容を特定することができる。
【００６４】
ここで、商品提供者情報として、契約理解のための情報が商品提供者情報記録手段に記録される場合には、商品提供者が提供した商品の価格や、商品提供者が商品を提供するための契約内容を特定することができる。
【００６５】
そして、所定の商品の価格や契約内容の特定を、商品を提供する側（商品提供者）と提供される側（情報提供者）の双方の情報に基づいて行うことによって、情報の改竄や偽造等を抑止することができる。
即ち、同一内容であるべき情報（契約理解のための情報）について、商品を提供する側（商品提供者）と商品を提供される側（情報提供者）の双方から記録することによって、情報の改竄や偽造等を抑止することができる。
なお、商品提供者情報記録手段が、情報提供者情報記録手段と異なる場合には、より一層情報の改竄や偽造等を抑止することができる。
【００６６】
また、情報出力手段が、選択情報提供者情報に含まれる契約理解のための情報、若しくは、契約理解のための情報にアクセス可能な識別情報を出力することによって、消費者は情報提供者が商品提供者から提供された商品の価格や契約内容を把握することができる。
【００６７】
更に、ポイント付与手段が契約理解のための情報が利用された情報提供者に対してポイントを付与することによって、契約理解のための情報が利用されたいという情報提供者のインセンティブを高めることができる。
【００６８】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる契約理解のための情報の高品質化が期待できる。なお、商品提供者が選択する情報提供者情報は、単数であっても複数であっても良い。
【００６９】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００７０】
ここで、ＡＩ情報記録手段を備える場合には、商品提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００７１】
また、情報提供者情報として、還元率の情報が情報提供者情報記録手段に記録される場合には、契約理解のための情報が利用された場合の還元率を特定することができる。
【００７２】
なお、情報提供者情報は情報提供者の端末から送信される情報であるために、換言すると、還元率の情報を情報提供者自身が決定し、情報提供者情報記録手段に記録することによって、契約理解のための情報が利用されたいという情報提供者のインセンティブが高まることを期待できる。そして、こうしたインセンティブの高まりに伴って、情報提供者情報に含まれる契約理解のための情報の高品質化も期待できる。
【００７３】
また、上記の目的を達成するために、本発明の商品情報提供システムは、商品提供者から提供された商品の価格の情報、若しくは、前記商品提供者から前記商品が提供されるための契約内容の情報の少なくとも一方を有する契約理解のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、前記情報出力手段が情報を出力することによって、前記契約理解のための情報が利用された前記情報提供者に対して、ポイントを付与するポイント付与手段と、を備え、前記情報出力手段は、前記選択情報提供者情報に含まれる複数の前記契約理解のための情報の中から、前記商品提供者及び前記情報提供者とは異なる情報受領者が選択した前記契約理解のための情報を出力する、若しくは、前記選択情報提供者情報に含まれる複数の前記契約理解のための情報の中から、前記情報受領者が選択した前記契約理解のための情報にアクセス可能な識別情報を出力する、若しくは、前記選択情報提供者情報である複数の前記情報提供者情報の中から、前記情報受領者が選択した前記情報提供者情報に含まれる前記契約理解のための情報を出力する、若しくは、前記選択情報提供者情報である複数の前記情報提供者情報の中から、前記情報受領者が選択した前記情報提供者情報に含まれる前記契約理解のための情報にアクセス可能な識別情報を出力する。
【００７４】
ここで、情報提供者情報として、契約理解のための情報が情報提供者情報記録手段に記録されることによって、商品提供者が提供した商品の価格や、商品提供者が商品を提供するための契約内容を特定することができる。
【００７５】
また、情報出力手段が、選択情報提供者情報に含まれる契約理解のための情報、若しくは、契約理解のための情報にアクセス可能な識別情報を出力することによって、消費者は情報提供者が商品提供者から提供された商品の価格や契約内容を把握することができる。
【００７６】
更に、ポイント付与手段が契約理解のための情報が利用された情報提供者に対してポイントを付与することによって、契約理解のための情報が利用されたいという情報提供者のインセンティブを高めることができる。
【００７７】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる契約理解のための情報の高品質化が期待できる。なお、商品提供者が選択する情報提供者情報は、単数であっても複数であっても良い。
【００７８】
また、情報出力手段は、複数の中から情報受領者が選択した情報を出力することによって、情報受領者が希望する情報を情報受領者に提供することができる。
なお、情報出力手段が出力する情報は、単数であっても複数であっても良い。
【００７９】
ここで、ＡＩ情報記録手段を備える場合には、商品提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００８０】
また、情報提供者情報として、還元率の情報が情報提供者情報記録手段に記録される場合には、契約理解のための情報が利用された場合の還元率を特定することができる。
【００８１】
なお、情報提供者情報は情報提供者の端末から送信される情報であるために、換言すると、還元率の情報を情報提供者自身が決定し、情報提供者情報記録手段に記録することによって、契約理解のための情報が利用されたいという情報提供者のインセンティブが高まることを期待できる。そして、こうしたインセンティブの高まりに伴って、情報提供者情報に含まれる契約理解のための情報の高品質化も期待できる。
【００８２】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者から提供された前記サービスの情報と、前記サービス提供者から提供された前記サービスの価格の情報、若しくは、前記サービス提供者から前記サービスを提供されるための契約内容の情報の少なくとも一方を有する契約理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、前記情報出力手段が情報を出力することによって、前記契約理解のための情報が利用された前記情報提供者に対して、ポイントを付与するポイント付与手段と、を備え、前記情報出力手段は、前記選択情報提供者情報に含まれる複数の前記契約理解のための情報の中から、前記サービス提供者及び前記情報提供者とは異なる情報受領者が選択した前記契約理解のための情報を出力する、若しくは、前記選択情報提供者情報に含まれる複数の前記契約理解のための情報の中から、前記情報受領者が選択した前記契約理解のための情報にアクセス可能な識別情報を出力する、若しくは、前記選択情報提供者情報である複数の前記情報提供者情報の中から、前記情報受領者が選択した前記情報提供者情報に含まれる前記契約理解のための情報を出力する、若しくは、前記選択情報提供者情報である複数の前記情報提供者情報の中から、前記情報受領者が選択した前記情報提供者情報に含まれる前記契約理解のための情報にアクセス可能な識別情報を出力する。
【００８３】
ここで、サービス提供者情報として、所定のサービスの情報がサービス提供者情報記録手段に記録されることによって、サービス提供者が情報提供者に提供したサービスを特定することができる。
【００８４】
また、情報提供者情報として、サービス提供者から提供されたサービスの情報が情報提供者情報記録手段に記録されることによって、情報提供者がサービス提供者から提供された所定のサービスを特定することができる。
【００８５】
そして、所定のサービスの特定を、サービスを提供する側（サービス提供者）と提供される側（情報提供者）の双方の情報に基づいて行うことによって、情報の改竄や偽造等を抑止することができる。
即ち、同一内容であるべき情報（所定のサービスの情報）について、それを提供する側（サービス提供者）と提供される側（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００８６】
また、サービス提供者情報として、契約理解のための情報がサービス提供者情報記録手段に記録される場合には、サービス提供者が提供したサービスの価格や、サービス提供者がサービスを提供するための契約内容を特定することができる。
【００８７】
そして、所定のサービスの価格や契約内容の特定を、サービスを提供する側（サービス提供者）と提供される側（情報提供者）の双方の情報に基づいて行うことによって、情報の改竄や偽造等を抑止することができる。
即ち、同一内容であるべき情報（サービスの契約理解のための情報）について、サービスを提供する側（サービス提供者）とサービスを提供される側（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００８８】
また、情報出力手段が、選択情報提供者情報に含まれる契約理解のための情報、若しくは、契約理解のための情報にアクセス可能な識別情報を出力することによって、消費者は情報提供者がサービス提供者から提供されたサービスの価格や契約内容を把握することができる。
【００８９】
更に、ポイント付与手段が契約理解のための情報が利用された情報提供者に対してポイントを付与することによって、契約理解のための情報が利用されたいという情報提供者のインセンティブを高めることができる。
【００９０】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる契約理解のための情報の高品質化が期待できる。なお、サービス提供者が選択する情報提供者情報は、単数であっても複数であっても良い。
【００９１】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【００９２】
ここで、ＡＩ情報記録手段を備える場合には、サービス提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【００９３】
また、情報提供者情報として、還元率の情報が情報提供者情報記録手段に記録される場合には、契約理解のための情報が利用された場合の還元率を特定することができる。
【００９４】
なお、情報提供者情報は情報提供者の端末から送信される情報であるために、換言すると、還元率の情報を情報提供者自身が決定し、情報提供者情報記録手段に記録することによって、契約理解のための情報が利用されたいという情報提供者のインセンティブが高まることを期待できる。そして、こうしたインセンティブの高まりに伴って、情報提供者情報に含まれる契約理解のための情報の高品質化も期待できる。
【００９５】
また、上記の目的を達成するために、本発明のサービス情報提供システムは、サービス提供者から提供されたサービスの価格、若しくは、前記サービス提供者から前記サービスを提供されるための契約内容の情報の少なくとも一方を有する契約理解のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記契約理解のための情報、若しくは、前記選択情報提供者情報に含まれる前記契約理解のための情報にアクセス可能な識別情報を出力する情報出力手段と、前記情報出力手段が情報を出力することによって、前記契約理解のための情報が利用された前記情報提供者に対して、ポイントを付与するポイント付与手段と、を備え、前記情報出力手段は、前記選択情報提供者情報に含まれる複数の前記契約理解のための情報の中から、前記サービス提供者及び前記情報提供者とは異なる情報受領者が選択した前記契約理解のための情報を出力する、若しくは、前記選択情報提供者情報に含まれる複数の前記契約理解のための情報の中から、前記情報受領者が選択した前記契約理解のための情報にアクセス可能な識別情報を出力する、若しくは、前記選択情報提供者情報である複数の前記情報提供者情報の中から、前記情報受領者が選択した前記情報提供者情報に含まれる前記契約理解のための情報を出力する、若しくは、前記選択情報提供者情報である複数の前記情報提供者情報の中から、前記情報受領者が選択した前記情報提供者情報に含まれる前記契約理解のための情報にアクセス可能な識別情報を出力する。
【００９６】
ここで、情報提供者情報として、契約理解のための情報が情報提供者情報記録手段に記録されることによって、サービス提供者が提供したサービスの価格や、サービス提供者がサービスを提供するための契約内容を特定することができる。
【００９７】
また、情報出力手段が、選択情報提供者情報に含まれる契約理解のための情報、若しくは、契約理解のための情報にアクセス可能な識別情報を出力することによって、消費者は情報提供者がサービス提供者から提供されたサービスの価格や契約内容を把握することができる。
【００９８】
更に、ポイント付与手段が契約理解のための情報が利用された情報提供者に対してポイントを付与することによって、契約理解のための情報が利用されたいという情報提供者のインセンティブを高めることができる。
【００９９】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる契約理解のための情報の高品質化が期待できる。なお、サービス提供者が選択する情報提供者情報は、単数であっても複数であっても良い。
【０１００】
また、情報出力手段が、複数の中から情報受領者が選択した情報を出力することによって、情報受領者が希望する情報を情報受領者に提供することができる。
なお、情報出力手段が出力する情報は、単数であっても複数であっても良い。
【０１０１】
ここで、ＡＩ情報記録手段を備える場合には、サービス提供者の端末から送信された情報や情報提供者の端末から送信された情報に加えて、人工知能によるＡＩ情報をも記録することができる。なお、ＡＩ情報記録手段にアクセスしたユーザは、ＡＩ情報を得ることができる。
一方、ＡＩ情報出力手段を備える場合には、ユーザに対して、人工知能によるＡＩ情報を提供することができる。
【０１０２】
また、情報提供者情報として、還元率の情報が情報提供者情報記録手段に記録される場合には、契約理解のための情報が利用された場合の還元率を特定することができる。
【０１０３】
なお、情報提供者情報は情報提供者の端末から送信される情報であるために、換言すると、還元率の情報を情報提供者自身が決定し、情報提供者情報記録手段に記録することによって、契約理解のための情報が利用されたいという情報提供者のインセンティブが高まることを期待できる。そして、こうしたインセンティブの高まりに伴って、情報提供者情報に含まれる契約理解のための情報の高品質化も期待できる。
【０１０４】
ところで、ここでの「所定の商品」とは、食品も含む。また、「所定の商品」は、一次産品である場合と二次産品である場合の双方を含み、有体物である場合と無体物である場合の双方を含む。
【０１０５】
また、ここでの「所定のサービス」とは、顧客のためになされる種々の奉仕や、他人のために尽力すること、を意味し、有償であるか無償であるかは問わない。
【０１０６】
また、ここでの「品質理解のための情報にアクセス可能な識別情報」や「品質理解のための付属物の情報にアクセス可能な識別情報」とは、例えば、通信回線を介して「品質理解のための情報」や「品質理解のための付属物の情報」が掲載されたウェブサイトにアクセスすることができる二次元バーコードやカラーコード等の識別子を意味する。
【０１０７】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【０１０８】
また、「所定の商品」が食品（一次産品）である場合の「商品の品質理解のための情報」や、「所定のサービス」が食品（一次産品）の加工である場合の「サービスの品質理解のための情報」としては、例えば、以下に示す付属物の情報が挙げられる。なお、食品以外の商品（一次産品）や、食品以外の商品（一次産品）の加工である場合の付属物については、以下の付属物の説明中の「食品」を「商品」に読み替えるものとする。
【０１０９】
［一次産品の付属物１］
所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１１０】
［一次産品の付属物２］
所定の食品の生産地における種まきや苗植え前の土壌、及び、所定の食品の生産地における収穫後の土壌。
【０１１１】
［一次産品の付属物３］
所定の食品の生産に関与した土壌、水、海水、海底水、アルカリ水、海底水から採取した塩、海藻の少なくとも１つである生産関与物本体と、生産関与物本体の採取地の情報である採取地情報とを有するもの。
【０１１２】
［一次産品の付属物４］
所定の食品の生産地で得られた草。
【０１１３】
［一次産品の付属物５］
所定の食品の生産に関与した外国産の飼料である草、所定の食品の生産に関与した国内産の飼料である草、所定の食品の生産に関与した外国産の穀物飼料、所定の食品の生産に関与した国内産の穀物飼料の少なくとも１つ。
【０１１４】
［一次産品の付属物６］
所定の食品の生産に関与した飼料と略同一であり、穀物部分と、抗生物質及び成長ホルモン剤部分とが別個の状態に構成されたもの。
【０１１５】
［一次産品の付属物７］
所定の食品と略同一条件で所定の食品とは別体で成長した代替食品。
【０１１６】
［一次産品の付属物８］
所定の食品と略同一条件で所定の食品とは別体で成長した代替食品の粉末。
【０１１７】
［一次産品の付属物９］
所定の食品と略同一条件で所定の食品とは別体で成長した代替食品の加工品。
【０１１８】
［一次産品の付属物１０］
所定の食品と略同一条件で所定の食品とは別体で成長した代替食品の粉末加工品。
【０１１９】
［一次産品の付属物１１］
所定の食品と略同一条件で所定の食品とは別体で成長した代替食品と一体に成長した代替一体成長物。
【０１２０】
［一次産品の付属物１２］
所定の食品と略同一条件で所定の食品とは別体で成長した代替食品と一体に成長した代替一体成長物の粉末。
【０１２１】
［一次産品の付属物１３］
所定の食品と略同一条件で所定の食品とは別体で成長した代替食品と一体に成長した代替一体成長物の加工品。
【０１２２】
［一次産品の付属物１４］
所定の食品と略同一条件で所定の食品とは別体で成長した代替食品と一体に成長した代替一体成長物の粉末加工品。
【０１２３】
［一次産品の付属物１５］
所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分。
【０１２４】
［一次産品の付属物１６］
所定の食品と一体に成長した一体成長物の所定の食品とは異なる部分の粉末であり、若しくは、所定の食品と略同一条件で所定の食品とは別体で成長した代替食品と一体に成長した代替一体成長物の所定の食品に対応する部分とは異なる部分の粉末。
【０１２５】
［一次産品の付属物１７］
所定の食品と一体に成長した一体成長物の所定の食品とは異なる部分の加工品であり、若しくは、所定の食品と略同一条件で所定の食品とは別体で成長した代替食品と一体に成長した代替一体成長物の所定の食品に対応する部分とは異なる部分の加工品。
【０１２６】
［一次産品の付属物１８］
所定の食品と一体に成長した一体成長物の所定の食品とは異なる部分の粉末加工品であり、若しくは、所定の食品と略同一条件で所定の食品とは別体で成長した代替食品と一体に成長した代替一体成長物の所定の食品に対応する部分とは異なる部分の粉末加工品。
【０１２７】
［一次産品の付属物１９］
所定の食品の次世代の種子、若しくは、所定の食品と略同一条件で所定の食品とは別体で成長した代替食品の次世代の種子。
【０１２８】
［一次産品の付属物２０］
所定の食品の一部、若しくは、所定の食品と略同一条件で所定の食品とは別体で成長した代替食品から得られた種芋。
【０１２９】
［一次産品の付属物２１］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３０】
［一次産品の付属物２２］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３１】
［一次産品の付属物２３］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３２】
［一次産品の付属物２４］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３３】
［一次産品の付属物２５］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３４】
［一次産品の付属物２６］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３５】
［一次産品の付属物２７］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３６】
［一次産品の付属物２８］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３７】
［一次産品の付属物２９］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３８】
［一次産品の付属物３０］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３９】
［一次産品の付属物３１］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４０】
［一次産品の付属物３２］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４１】
［一次産品の付属物３３］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４２】
［一次産品の付属物３４］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４３】
［一次産品の付属物３５］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４４】
［一次産品の付属物３６］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４５】
［一次産品の付属物３７］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４６】
［一次産品の付属物３８］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４７】
［一次産品の付属物３９］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４８】
［一次産品の付属物４０］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４９】
［一次産品の付属物４１］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５０】
［一次産品の付属物４２］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５１】
［一次産品の付属物４３］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５２】
［一次産品の付属物４４］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５３】
［一次産品の付属物４５］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５４】
［一次産品の付属物４６］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５５】
［一次産品の付属物４７］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５６】
［一次産品の付属物４８］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５７】
［一次産品の付属物４９］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されて構成されたもの。
【０１５８】
［一次産品の付属物５０］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されると共に、アンモニアセンサーを有して構成されたもの。
【０１５９】
［一次産品の付属物５１］
所定の食品の収穫後に使用された農薬。
【０１６０】
［一次産品の付属物５２］
所定の食品の生産の後に同所定の食品に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１６１】
［一次産品の付属物５３］
所定の食品の生産の後に同所定の食品に関与した動物用食品添加物、若しくは、成長ホルモン剤の少なくとも１つ。
【０１６２】
［一次産品の付属物５４］
所定の食品の生産と略同時期に略同一環境で成長した海藻、草、魚介類の少なくとも１つ。
【０１６３】
また、「所定の商品」が食品（二次産品）である場合の「食品の品質理解のための情報」や、「所定のサービス」が食品（二次産品）の提供（例えば、レストラン）である場合の「サービスの品質理解のための情報」としては、例えば、以下の示す付属物の情報が挙げられる。なお、食品以外の商品（二次産品）や、食品以外の商品（二次産品）の提供である場合の付属物については、以下の付属物の説明中の「食品」を「商品」に読み替えるものとする。
【０１６４】
［二次産品の付属物１］
所定の食品の原料。
【０１６５】
［二次産品の付属物２］
所定の食品の原料と略同一条件で所定の食品の原料とは別体で成長した代替原料。
【０１６６】
［二次産品の付属物３］
所定の食品の原料と略同一条件で所定の食品の原料とは別体で成長した代替原料の粉末。
【０１６７】
［二次産品の付属物４］
所定の食品の原料と略同一条件で所定の食品の原料とは別体で成長した代替原料の加工品。
【０１６８】
［二次産品の付属物５］
所定の食品の原料と略同一条件で所定の食品の原料とは別体で成長した代替原料の粉末加工品。
【０１６９】
［二次産品の付属物６］
所定の食品の原料と略同一条件で所定の食品の原料とは別体で成長した代替原料と一体に成長した代替一体成長物。
【０１７０】
［二次産品の付属物７］
所定の食品の原料と略同一条件で所定の食品の原料とは別体で成長した代替原料と一体に成長した代替一体成長物の粉末。
【０１７１】
［二次産品の付属物８］
所定の食品の原料と略同一条件で所定の食品の原料とは別体で成長した代替原料と一体に成長した代替一体成長物の加工品。
【０１７２】
［二次産品の付属物９］
所定の食品の原料と略同一条件で所定の食品の原料とは別体で成長した代替原料と一体に成長した代替一体成長物の粉末加工品。
【０１７３】
［二次産品の付属物１０］
所定の食品の原料である卵。
【０１７４】
［二次産品の付属物１１］
所定の食品の原料である卵と略同一条件で生産された代替卵。
【０１７５】
［二次産品の付属物１２］
所定の食品の生産に関与した乳酸菌、ビフィズス菌、麹、麹菌、若しくは、枯草菌の少なくとも１つ。
【０１７６】
［二次産品の付属物１３］
所定の食品の生産に関与した木樽、瓶、プラスチック製容器、若しくは、漬け床。
【０１７７】
［二次産品の付属物１４］
所定の食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１７８】
［二次産品の付属物１５］
所定の食品の原料の生産地における種まきや苗植え前の土壌、及び、所定の食品の原料の生産地における収穫後の土壌。
【０１７９】
［二次産品の付属物１６］
所定の食品の原料の生産に関与した土壌、水、海水、海底水、アルカリ水、海底水から採取した塩、海藻の少なくとも１つである生産関与物本体と、該生産関与物本体の採取地の情報である採取地情報とを有するもの。
【０１８０】
［二次産品の付属物１７］
所定の食品の原料の生産地で得られた草。
【０１８１】
［二次産品の付属物１８］
所定の食品の原料の生産に関与した外国産の飼料である草、所定の食品の原料の生産に関与した国内産の飼料である草、所定の食品の原料の生産に関与した外国産の穀物飼料、所定の食品の原料の生産に関与した国内産の穀物飼料の少なくとも１つ。
【０１８２】
［二次産品の付属物１９］
所定の食品の原料の生産に関与した飼料と略同一であり、穀物部分と、抗生物質及び成
長ホルモン剤部分とが別個の状態に構成されたもの。
【０１８３】
［二次産品の付属物２０］
所定の食品の生産に関与した木樽の木片、所定の食品の生産に関与した木樽と略同一条件の木樽の木片、所定の食品の生産に関与した木樽の構成材と同一種類の木片、所定の食品を生産した木樽の中に同所定の食品と共に入れられた前記木樽の構成材と同一種類の木片、所定の食品に含まれる汁、若しくは、所定の食品の生産に関与した汁の少なくとも１つ。
【０１８４】
［二次産品の付属物２１］
所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分。
【０１８５】
［二次産品の付属物２２］
所定の食品の原料と一体に成長した一体成長物の所定の食品の原料とは異なる部分の粉末であり、若しくは、所定の食品の原料と略同一条件で所定の食品の原料とは別体で成長した代替原料と一体に成長した代替一体成長物の所定の食品の原料に対応する部分とは異なる部分の粉末。
【０１８６】
［二次産品の付属物２３］
所定の食品の原料と一体に成長した一体成長物の所定の食品の原料とは異なる部分の加工品であり、若しくは、所定の食品の原料と略同一条件で所定の食品の原料とは別体で成長した代替原料と一体に成長した代替一体成長物の所定の食品の原料に対応する部分とは異なる部分の加工品。
【０１８７】
［二次産品の付属物２４］
所定の食品の原料と一体に成長した一体成長物の所定の食品の原料とは異なる部分の粉末加工品であり、若しくは、所定の食品の原料と略同一条件で所定の食品の原料とは別体で成長した代替原料と一体に成長した代替一体成長物の所定の食品の原料に対応する部分とは異なる部分の粉末加工品。
【０１８８】
［二次産品の付属物２５］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つ。
【０１８９】
［二次産品の付属物２６］
所定の機能別若しくは所定の用途別に分類された所定の食品に用いられた食品添加物の少なくとも一部。
【０１９０】
［二次産品の付属物２７］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、前記所定の割合を表示した表示物。
【０１９１】
［二次産品の付属物２８］
所定の食品の原料の次世代の種子、若しくは、所定の食品の原料と略同一条件で所定の食品の原料とは別体で成長した代替原料の次世代の種子。
【０１９２】
［二次産品の付属物２９］
所定の食品の原料の一部、若しくは、所定の食品の原料と略同一条件で所定の食品の原料とは別体で成長した代替原料から得られた種芋。
【０１９３】
［二次産品の付属物３０］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９４】
［二次産品の付属物３１］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９５】
［二次産品の付属物３２］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９６】
［二次産品の付属物３３］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９７】
［二次産品の付属物３４］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９８】
［二次産品の付属物３５］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９９】
［二次産品の付属物３６］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２００】
［二次産品の付属物３７］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０１】
［二次産品の付属物３８］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０２】
［二次産品の付属物３９］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０３】
［二次産品の付属物４０］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０４】
［二次産品の付属物４１］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０５】
［二次産品の付属物４２］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０６】
［二次産品の付属物４３］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０７】
［二次産品の付属物４４］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０８】
［二次産品の付属物４５］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０９】
［二次産品の付属物４６］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１０】
［二次産品の付属物４７］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１１】
［二次産品の付属物４８］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１２】
［二次産品の付属物４９］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１３】
［二次産品の付属物５０］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１４】
［二次産品の付属物５１］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１５】
［二次産品の付属物５２］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１６】
［二次産品の付属物５３］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１７】
［二次産品の付属物５４］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１８】
［二次産品の付属物５５］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１９】
［二次産品の付属物５６］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２２０】
［二次産品の付属物５７］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２２１】
［二次産品の付属物５８］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの、及び、前記所定の割合を表示した表示物。
【０２２２】
［二次産品の付属物５９］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの、及び、前記所定の割合を表示した表示物。
【０２２３】
［二次産品の付属物６０］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２２４】
［二次産品の付属物６１］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２２５】
［二次産品の付属物６２］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２２６】
［二次産品の付属物６３］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２２７】
［二次産品の付属物６４］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されたもの。
【０２２８】
［二次産品の付属物６５］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されると共に、アンモニアセンサーを有して構成されたもの。
【０２２９】
［二次産品の付属物６６］
所定の食品の原料の収穫後に使用された農薬。
【０２３０】
［二次産品の付属物６７］
所定の食品の原料の生産の後に同所定の食品の原料に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２３１】
［二次産品の付属物６８］
所定の食品の原料の生産の後に同所定の食品の原料に関与した動物用食品添加物、若しくは、成長ホルモン剤の少なくとも１つ。
【０２３２】
［二次産品の付属物６９］
所定の食品の原料の加工直前に、同所定の食品の原料に含まれている燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２３３】
［二次産品の付属物７０］
所定の食品の原料の生産と略同時期に略同一環境で成長した海藻、草、魚介類の少なくとも１つ。
【０２３４】
その他、「所定のサービス」が白蟻駆除である場合には、付属物として白蟻の存在を確認するためのエサが入った箱（白蟻がいる場合には、白蟻にエサが食べられることを確認することができる）が挙げられる。また、「所定のサービス」がガラス取替であれば、付属物として取り付けるガラスと同一のガラスが挙げられる。更に、「所定のサービス」が自動車、船舶、携帯電話、コンピュータ、器具工具類、住宅設備、家具等の修理、修繕、リフォームの場合である場合には、付属物として取替え部分、或いは、取替え部分の一部が挙げられる。
【発明の効果】
【０２３５】
本発明の商品情報提供システム及びサービス情報提供システムでは、消費者がより一層安心して商品やサービスを選択することが可能となり、商品やサービスの信頼度の向上を実現することができる。
【図面の簡単な説明】
【０２３６】
【図１】本発明の商品情報提供システムの構成例の一例を説明するための模式図である。
【図２】本発明の商品情報提供システムの使用方法の一例を示す概略図である。
【図３】本発明のサービス情報提供システムの構成例の一例を説明するための模式図である。
【図４】本発明の変形例を説明するための概略図（１）である。
【図５】本発明の変形例を説明するための概略図（２）である。
【発明を実施するための形態】
【０２３７】
以下、発明を実施するための形態（以下、「実施の形態」と称する）について説明を行う。
【０２３８】
＜１．第１の実施の形態＞
図１は、本発明の商品情報提供システムの構成例の一例を説明するための模式図である。
図１で示す商品情報提供システム１は、商品提供者が利用する商品提供者端末２と、情報提供者が利用する情報提供者端末３（３Ａ，３Ｂ，３Ｃ，３Ｄ，３Ｅ，３Ｆ）と、サーバ４とで構成される。
【０２３９】
また、商品提供者端末２、及び、情報提供者端末３は、インターネット５を介してサーバ４とやり取り可能に構成される。
【０２４０】
なお、情報提供者端末３を使用する情報提供者としては、過去に商品提供者から商品の提供を受けた顧客（既存顧客）や、各種商品の調査や評価を生業とする調査会社や評価会社等があり、特に限定されるものではない。また、情報提供者の全てが既存顧客の場合、情報提供者の全てが調査会社や評価会社の場合、情報提供者の一部が既存顧客であり、他の一部が調査会社や評価会社の場合、のいずれであっても良い。
【０２４１】
また、サーバ４は、商品提供者端末２から送信された商品提供者情報を記録する商品提供者情報記録手段６を有する。
【０２４２】
更に、商品提供者情報記録手段６は、少なくとも、商品提供者が顧客に提供する商品の内容の情報６ａと、こうした商品と共に提供される付属物の情報６ｂと、出力する情報提供者情報を特定するための出力対象情報６ｃを記録可能に構成されている。
また、本実施の形態では、付属物の情報６ｂとして、３つの情報（６ｂ−１，６ｂ−２，６ｂ−３）が記録される。
【０２４３】
なお、ハイフン（−）に続く数字が同じものは、対応した情報であることを示している。例えば、「６ｂ−１」は、後述する「７Ａｃ−１，７Ａｇ−１，７Ｂｃ−１，７Ｂｇ−１，７Ｃｃ−１，７Ｃｇ−１，７Ｄｃ−１，７Ｄｇ−１，７Ｅｃ−１，７Ｅｇ−１，７Ｆｃ−１，７Ｆｇ−１，２０１−１」と対応していることを意味している。
【０２４４】
ここで、商品の内容の情報６ａに紐付けて、付属物の情報６ｂと、出力対象情報６ｃが記録される。なお、複数の商品の内容の情報が記録される場合（即ち、商品の内容の情報６ａに加えて、商品の内容の情報６ａとは別の商品の内容の情報も記録される場合）には、それぞれの商品の情報に対応した付属物の情報、出力対象情報が記録される。
【０２４５】
また、サーバ４は、情報提供者が利用する情報提供者端末３Ａから送信された情報提供者情報Ａを記録する情報提供者情報記録手段７Ａと、情報提供者が利用する情報提供者端末３Ｂから送信された情報提供者情報Ｂを記録する情報提供者情報記録手段７Ｂと、情報提供者が利用する情報提供者端末３Ｃから送信された情報提供者情報Ｃを記録する情報提供者情報記録手段７Ｃと、情報提供者が利用する情報提供者端末３Ｄから送信された情報提供者情報Ｄを記録する情報提供者情報記録手段７Ｄと、情報提供者が利用する情報提供者端末３Ｅから送信された情報提供者情報Ｅを記録する情報提供者情報記録手段７Ｅと、情報提供者が利用する情報提供者端末３Ｆから送信された情報提供者情報Ｆを記録する情報提供者情報記録手段７Ｆを有する。
【０２４６】
また、情報提供者情報記録手段７Ａは、少なくとも、情報提供者端末３Ａを利用する情報提供者の情報７Ａａと、商品提供者から提供された商品の内容の情報７Ａｂと、商品提供者から提供された付属物の情報７Ａｃと、付属物の情報７Ａｃが利用された場合の還元率の情報７Ａｄと、保有するポイントの情報７Ａｅを記録可能に構成されている。
なお、本実施の形態では、付属物の情報７Ａｃは、付属物の情報６ｂに対応して３つの情報（７Ａｃ−１，７Ａｃ−２，７Ａｃ−３）が記録される。
【０２４７】
更に、情報提供者情報記録手段７Ａは、商品提供者から提供された商品と同種同類の別商品の内容の情報７Ａｆと、別商品の商品提供者から提供された別商品の付属物の情報７Ａｇを記録可能に構成されている。
なお、本実施の形態では、付属物の情報７Ａｇは、付属物の情報７Ａｃに対応して３つの情報（７Ａｇ−１，７Ａｇ−２，７Ａｇ−３）が記録される。
【０２４８】
ここで、情報提供者の情報７Ａａに紐付けて、商品の内容の情報７Ａｂと、付属物の情報７Ａｃと、還元率の情報７Ａｄと、ポイントの情報７Ａｅと、別商品の内容の情報７Ａｆと、別商品の付属物の情報７Ａｇが記録される。また、商品の内容の情報７Ａｂと紐付けて、付属物の情報７Ａｃと、還元率の情報７Ａｄと、別商品の内容の情報７Ａｆと、別商品の付属物の情報７Ａｇが記録される。なお、複数の商品の内容の情報が記録される場合（即ち、商品の内容の情報７Ａｂに加えて、商品の内容の情報７Ａｂとは別の商品の内容の情報も記録される場合）には、それぞれの商品の内容の情報に対応した付属物の情報、還元率、別商品の内容の情報、別商品の付属物の情報が記録される。
【０２４９】
同様に、情報提供者情報記録手段７Ｂは、少なくとも、情報提供者端末３Ｂを利用する情報提供者の情報７Ｂａと、商品提供者から提供された商品の内容の情報７Ｂｂと、商品提供者から提供された付属物の情報７Ｂｃと、付属物の情報７Ｂｃが利用された場合の還元率の情報７Ｂｄと、保有するポイントの情報７Ｂｅを記録可能に構成されている。
なお、本実施の形態では、付属物の情報７Ｂｃは、付属物の情報６ｂに対応して３つの情報（７Ｂｃ−１，７Ｂｃ−２，７Ｂｃ−３）が記録される。
【０２５０】
更に、情報提供者情報記録手段７Ｂは、商品提供者から提供された商品と同種同類の別商品の内容の情報７Ｂｆと、別商品の商品提供者から提供された別商品の付属物の情報７Ｂｇを記録可能に構成されている。
なお、本実施の形態では、付属物の情報７Ｂｇは、付属物の情報７Ｂｃに対応して３つの情報（７Ｂｇ−１，７Ｂｇ−２，７Ｂｇ−３）が記録される。
【０２５１】
ここで、情報提供者の情報７Ｂａに紐付けて、商品の内容の情報７Ｂｂと、付属物の情報７Ｂｃと、還元率の情報７Ｂｄと、ポイントの情報７Ｂｅと、別商品の内容の情報７Ｂｆと、別商品の付属物の情報７Ｂｇが記録される。また、商品の内容の情報７Ｂｂと紐付けて、付属物の情報７Ｂｃと、還元率の情報７Ｂｄと、別商品の内容の情報７Ｂｆと、別商品の付属物の情報７Ｂｇが記録される。なお、複数の商品の内容の情報が記録される場合（即ち、商品の内容の情報７Ｂｂに加えて、商品の内容の情報７Ｂｂとは別の商品の内容の情報も記録される場合）には、それぞれの商品の内容の情報に対応した付属物の情報、還元率、別商品の内容の情報、別商品の付属物の情報が記録される。
【０２５２】
同様に、情報提供者情報記録手段７Ｃは、少なくとも、情報提供者端末３Ｃを利用する情報提供者の情報７Ｃａと、商品提供者から提供された商品の内容の情報７Ｃｂと、商品提供者から提供された付属物の情報７Ｃｃと、付属物の情報７Ｃｃが利用された場合の還元率の情報７Ｃｄと、保有するポイントの情報７Ｃｅを記録可能に構成されている。
なお、本実施の形態では、付属物の情報７Ｃｃは、付属物の情報６ｂに対応して３つの情報（７Ｃｃ−１，７Ｃｃ−２，７Ｃｃ−３）が記録される。
【０２５３】
更に、情報提供者情報記録手段７Ｃは、商品提供者から提供された商品と同種同類の別商品の内容の情報７Ｃｆと、別商品の商品提供者から提供された別商品の付属物の情報７Ｃｇを記録可能に構成されている。
なお、本実施の形態では、付属物の情報７Ｃｇは、付属物の情報７Ｃｃに対応して３つの情報（７Ｃｇ−１，７Ｃｇ−２，７Ｃｇ−３）が記録される。
【０２５４】
ここで、情報提供者の情報７Ｃａに紐付けて、商品の内容の情報７Ｃｂと、付属物の情報７Ｃｃと、還元率の情報７Ｃｄと、ポイントの情報７Ｃｅと、別商品の内容の情報７Ｃｆと、別商品の付属物の情報７Ｃｇが記録される。また、商品の内容の情報７Ｃｂと紐付けて、付属物の情報７Ｃｃと、還元率の情報７Ｃｄと、別商品の内容の情報７Ｃｆと、別商品の付属物の情報７Ｃｇが記録される。なお、複数の商品の内容の情報が記録される場合（即ち、商品の内容の情報７Ｃｂに加えて、商品の内容の情報７Ｃｂとは別の商品の内容の情報も記録される場合）には、それぞれの商品の内容の情報に対応した付属物の情報、還元率、別商品の内容の情報、別商品の付属物の情報が記録される。
【０２５５】
同様に、情報提供者情報記録手段７Ｄは、少なくとも、情報提供者端末３Ｄを利用する情報提供者の情報７Ｄａと、商品提供者から提供された商品の内容の情報７Ｄｂと、商品提供者から提供された付属物の情報７Ｄｃと、付属物の情報７Ｄｃが利用された場合の還元率の情報７Ｄｄと、保有するポイントの情報７Ｄｅを記録可能に構成されている。
なお、本実施の形態では、付属物の情報７Ｄｃは、付属物の情報６ｂに対応して３つの情報（７Ｄｃ−１，７Ｄｃ−２，７Ｄｃ−３）が記録される。
【０２５６】
更に、情報提供者情報記録手段７Ｄは、商品提供者から提供された商品と同種同類の別商品の内容の情報７Ｄｆと、別商品の商品提供者から提供された別商品の付属物の情報７Ｄｇを記録可能に構成されている。
なお、本実施の形態では、付属物の情報７Ｄｇは、付属物の情報７Ｄｃに対応して３つの情報（７Ｄｇ−１，７Ｄｇ−２，７Ｄｇ−３）が記録される。
【０２５７】
ここで、情報提供者の情報７Ｄａに紐付けて、商品の内容の情報７Ｄｂと、付属物の情報７Ｄｃと、還元率の情報７Ｄｄと、ポイントの情報７Ｄｅと、別商品の内容の情報７Ｄｆと、別商品の付属物の情報７Ｄｇが記録される。また、商品の内容の情報７Ｄｂと紐付けて、付属物の情報７Ｄｃと、還元率の情報７Ｄｄと、別商品の内容の情報７Ｄｆと、別商品の付属物の情報７Ｄｇが記録される。なお、複数の商品の内容の情報が記録される場合（即ち、商品の内容の情報７Ｄｂに加えて、商品の内容の情報７Ｄｂとは別の商品の内容の情報も記録される場合）には、それぞれの商品の内容の情報に対応した付属物の情報、還元率、別商品の内容の情報、別商品の付属物の情報が記録される。
【０２５８】
同様に、情報提供者情報記録手段７Ｅは、少なくとも、情報提供者端末３Ｅを利用する情報提供者の情報７Ｅａと、商品提供者から提供された商品の内容の情報７Ｅｂと、商品提供者から提供された付属物の情報７Ｅｃと、付属物の情報７Ｅｃが利用された場合の還元率の情報７Ｅｄと、保有するポイントの情報７Ｅｅを記録可能に構成されている。
なお、本実施の形態では、付属物の情報７Ｅｃは、付属物の情報６ｂに対応して３つの情報（７Ｅｃ−１，７Ｅｃ−２，７Ｅｃ−３）が記録される。
【０２５９】
更に、情報提供者情報記録手段７Ｅは、商品提供者から提供された商品と同種同類の別商品の内容の情報７Ｅｆと、別商品の商品提供者から提供された別商品の付属物の情報７Ｅｇを記録可能に構成されている。
なお、本実施の形態では、付属物の情報７Ｅｇは、付属物の情報７Ｅｃに対応して３つの情報（７Ｅｇ−１，７Ｅｇ−２，７Ｅｇ−３）が記録される。
【０２６０】
ここで、情報提供者の情報７Ｅａに紐付けて、商品の内容の情報７Ｅｂと、付属物の情報７Ｅｃと、還元率の情報７Ｅｄと、ポイントの情報７Ｅｅと、別商品の内容の情報７Ｅｆと、別商品の付属物の情報７Ｅｇが記録される。また、商品の内容の情報７Ｅｂと紐付けて、付属物の情報７Ｅｃと、還元率の情報７Ｅｄと、別商品の内容の情報７Ｅｆと、別商品の付属物の情報７Ｅｇが記録される。なお、複数の商品の内容の情報が記録される場合（即ち、商品の内容の情報７Ｅｂに加えて、商品の内容の情報７Ｅｂとは別の商品の内容の情報も記録される場合）には、それぞれの商品の内容の情報に対応した付属物の情報、還元率、別商品の内容の情報、別商品の付属物の情報が記録される。
【０２６１】
同様に、情報提供者情報記録手段７Ｆは、少なくとも、情報提供者端末３Ｆを利用する情報提供者の情報７Ｆａと、商品提供者から提供された商品の内容の情報７Ｆｂと、商品提供者から提供された付属物の情報７Ｆｃと、付属物の情報７Ｆｃが利用された場合の還元率の情報７Ｆｄと、保有するポイントの情報７Ｆｅを記録可能に構成されている。
なお、本実施の形態では、付属物の情報７Ｆｃは、付属物の情報６ｂに対応して３つの情報（７Ｆｃ−１，７Ｆｃ−２，７Ｆｃ−３）が記録される。
【０２６２】
更に、情報提供者情報記録手段７Ｆは、商品提供者から提供された商品と同種同類の別商品の内容の情報７Ｆｆと、別商品の商品提供者から提供された別商品の付属物の情報７Ｆｇを記録可能に構成されている。
なお、本実施の形態では、付属物の情報７Ｆｇは、付属物の情報７Ｆｃに対応して３つの情報（７Ｆｇ−１，７Ｆｇ−２，７Ｆｇ−３）が記録される。
【０２６３】
ここで、情報提供者の情報７Ｆａに紐付けて、商品の内容の情報７Ｆｂと、付属物の情報７Ｆｃと、還元率の情報７Ｆｄと、ポイントの情報７Ｆｅと、別商品の内容の情報７Ｆｆと、別商品の付属物の情報７Ｆｇが記録される。また、商品の内容の情報７Ｆｂと紐付けて、付属物の情報７Ｆｃと、還元率の情報７Ｆｄと、別商品の内容の情報７Ｆｆと、別商品の付属物の情報７Ｆｇが記録される。なお、複数の商品の内容の情報が記録される場合（即ち、商品の内容の情報７Ｆｂに加えて、商品の内容の情報７Ｆｂとは別の商品の内容の情報も記録される場合）には、それぞれの商品の内容の情報に対応した付属物の情報、還元率、別商品の内容の情報、別商品の付属物の情報が記録される。
【０２６４】
更に、サーバ４は、新規顧客（見込み顧客）の端末（図示せず）から送信された情報受領者情報を記録する情報受領者情報記録手段Ｘ１を有する。
なお、情報受領者情報記録手段Ｘ１は、後述する付属物情報出力手段８が出力する付属物の情報を特定するための「出力付属物情報」を記録可能に構成されている。
【０２６５】
また、サーバ４は、新規顧客（見込み顧客）が情報を求めた場合に、出力対象情報６ｃ及び出力付属物情報に基づいて、情報提供者情報記録手段７に記録された付属物の情報、別商品の内容の情報、別商品の付属物の情報を出力する付属物情報出力手段８を有する。
【０２６６】
ところで、情報提供者情報の変更を情報提供者の判断のみで行えるとした場合には、変更後の情報の内容によっては商品提供者が大きな不利益を被ることも考えられる。例えば、新規記録時には商品提供者が好む内容として商品提供者が選択するように仕向け、その後に悪意をもって虚偽の情報に変更する場合等が挙げられる。
そのため、情報提供者情報の変更については、情報提供者自身が行えるものの、変更内容を商品提供者が承認した場合に限って、その変更が反映されるように構成しても良い。
なお、（記録された情報の変更ではなく）新規の記録の場合には、商品提供者が選択しなければ情報が出力されることは無いため、承認の仕組み等は不要である。
【０２６７】
更に、サーバ４は、付属物情報出力手段８が付属物の情報等を出力した場合に、情報提供者にポイントを付与するポイント付与手段９を有する。
具体的には、例えば、付属物の情報７Ｅｃ、別商品の内容の情報７Ｅｆ及び別商品の付属物の情報７Ｅｇが出力された場合には、情報提供者情報記録手段７Ｅの保有するポイントの情報７Ｅｅに、還元率の情報７Ｅｄに応じたポイントが加算されることになる。
【０２６８】
図２は、本発明の商品情報提供システムの使用方法の一例を示す概略図である。
なお、以下では、情報提供者３０（３０Ａ，３０Ｂ，３０Ｃ，３０Ｄ，３０Ｅ，３０Ｆ）は、過去に商品提供者２０から商品の提供を受けたことがあり、新規顧客４０は商品提供者２０から商品の提供を受けるか否かの検討に際して、情報の収集を行っていることを前提として説明を行う。
【０２６９】
［１．各種情報の記録］
本発明の商品情報提供システムの使用方法の一例では、新規顧客４０が情報を得るためには、各種情報がサーバ４に記録される必要がある。そのために、サーバ４への各種情報の記録について説明を行う。
【０２７０】
先ず、商品提供者２０が、自身が提供する商品内容（商品の内容の情報６ａ）を、商品提供者端末２を用いて商品提供者情報記録手段６に記録する。また、商品提供者２０が、自身が提供する付属物の内容（付属物の情報６ｂ−１，６ｂ−２，６ｂ−３）を、商品提供者端末２を用いて商品提供者情報記録手段６に記録する。
これらの記録は、図２中符号（１）で示すステップである。
【０２７１】
次に、商品提供者２０が情報提供者３０Ａに対して商品２００を提供する。また、商品提供者２０は、商品２００と共に、付属物２０１の現物を情報提供者３０Ａに提供する。なお、付属物２０１は商品２００の品質理解のため（換言すると、品質の見える化のため）に提供するものであり、本実施の形態では、付属物の情報６ｂ（６ｂ−１，６ｂ−２，６ｂ−３）に対応した３つの付属物２０１（２０１−１，２０１−２，２０１−３）を提供する。
【０２７２】
即ち、商品提供者２０は、商品２００の提供と共に付属物２０１の現物を情報提供者３０Ａに提供することで、商品２００の品質を情報提供者３０Ａが充分に把握できるようにしている。
【０２７３】
続いて、情報提供者３０Ａは、自身を特定する情報（情報提供者の情報７Ａａ）を、情報提供者端末３Ａを用いて情報提供者情報記録手段７Ａに記録する。
また、情報提供者の情報７Ａａに紐付けて、商品提供者２０から提供された商品２００の内容（商品の内容の情報７Ａａ）と、商品提供者２０から提供された付属物２０１の内容（付属物の情報７Ａｃ−１，７Ａｃ−２，７Ａｃ−３）を、情報提供者端末３Ａを用いて情報提供者情報記録手段７Ａに記録する。
【０２７４】
また、情報提供者の情報７Ａａに紐付けて、商品２００と同種同類の別商品の内容（別商品の内容の情報７Ａｆ）と、別商品の提供を受けた際に別商品の提供者から提供された付属物の内容（別商品の付属物の情報７Ａｇ−１，７Ａｇ−２，７Ａｇ−３）を、情報提供者端末３Ａを用いて情報提供者情報記録手段７Ａに記録する。
【０２７５】
なお、別商品（商品２００と同種同類の商品）は、商品提供者２０が提供するものであっても良いし、商品提供者２０とは異なる商品提供者が提供するものであっても良い。
【０２７６】
更に、情報提供者の情報７Ａａに紐付けて、付属物の情報７Ａｃ、別商品の内容の情報７Ａｆ及び別商品の付属物の情報７Ａｇが利用された場合の還元率の情報７Ａｄを、情報提供者端末３Ａを用いて情報提供者情報記録手段７Ａに記録する。
これらの記録は、図２中符号（２）で示すステップである。
【０２７７】
また、情報提供者３０Ａは、商品２００の品質を把握することが可能となる種々の情報を記録しても良い。例えば、商品提供者２０の営業実態や方針、組織実態や取引実態等が挙げられる。情報提供者３０Ａが商品提供者２０と実際に取引を行ったからこそ得ることができた情報を記録することで、商品提供者２０の本当の姿の見える化が可能になるのである。
【０２７８】
なお、情報提供者３０Ａが各種情報を記録すると、商品提供者２０に「その旨」が送信される（図２中符号（３）で示すステップ）。
【０２７９】
ここでは、情報提供者３０Ａが、情報提供者の情報７Ａａ、商品の内容の情報７Ａｂ、付属物の情報７Ａｃ、還元率の情報７Ａｄ、別商品の内容の情報７Ａｆ、別商品の付属物の情報７Ａｇを記録する場合の説明を行っているが、同様にして、情報提供者３０Ｂ、情報提供者３０Ｃ、情報提供者３０Ｄ、情報提供者３０Ｅ及び情報提供者３０Ｆも、記録を行う。
なお、情報提供者３０Ａ〜３０Ｆは、同タイミングで記録を行うということではなく、商品提供者２０から商品を受領した後に、順次行うものである。
【０２８０】
次に、上記（３）で示すステップで、「その旨」が送信されていることから、商品提供者２０は、サーバ４にアクセスして、記録された情報提供者情報７（７Ａ〜７Ｆ）を確認した上で、いずれかの情報提供者情報を選択し（例えば、付属物の情報の質を比較して情報提供者情報を選択する、還元率を比較して情報提供者情報を選択する、など）、商品提供者端末２を用いて、出力対象情報６ｃを記録する（図２中符号（４）で示すステップ）。
【０２８１】
上述したような各種情報の記録の後に、新規顧客４０に対して、各種情報の提供が可能となる。
【０２８２】
なお、ここでは、商品提供者２０が提供する商品２００について、情報提供者３０が各種情報の記録を行う場合のみを説明しているが、サーバ４に記録される情報は「商品提供者２０が提供する商品２００」に関するもののみではなく、「商品提供者２０が提供する商品２００とは別の商品」や、「商品提供者２０とは別の商品提供者が提供する商品」に関するものについても記録される。
即ち、本実施の形態では、新規顧客４０が、商品提供者２０が提供する商品２００に関連する情報を得る場合を例に挙げて説明を行うが（後述）、サーバ４は、「商品提供者２０が提供する商品２００とは別の商品」や、「商品提供者２０とは別の商品提供者が提供する商品」に関連する情報も提供することができる。
【０２８３】
［２．各種情報の提供］
商品提供者２０が提供する商品２００に関連して、各種情報の提供を希望する新規顧客４０は、新規顧客端末（図示せず）でインターネット５を介してサーバ４にアクセスを行う（図２中符号（５）で示すステップ）。
【０２８４】
サーバ４にアクセスすると、新規顧客端末には、情報提供が可能な商品提供者の一覧が表示され、新規顧客４０は表示された一覧の中から「商品提供者２０」を選択する。また、「商品提供者２０」を選択すると、商品提供者２０が提供する商品の一覧が表示され、新規顧客４０は表示された一覧の中から「商品２００」を選択する。
【０２８５】
そして、新規顧客端末から「商品提供者２０の商品２００」が選択されると、付属物の情報の一覧が表示され（例えば、付属物の情報７Ｅｃ−１，７Ｅｃ−２，７Ｅｃ−３が表示され）、新規顧客４０は付属物の情報を選択する。
ここで、新規顧客４０が付属物の情報を選択すると、新規顧客端末を通じて情報受領者情報記録手段Ｘ１に「出力付属物情報」が記録されることになる。
【０２８６】
この様にして、「出力付属物情報」が記録されると、付属物情報出力手段８が、商品提供者情報記録手段６に記録された商品の内容の情報６ａ（商品２００に対応する情報が商品の内容の情報６ａである）と、商品の内容の情報６ａに紐付けられた付属物の情報６ｂのうち、新規顧客４０が選択した付属物の情報を出力する（新規顧客端末に情報が表示される）。
例えば、「出力付属物情報」として、付属物の情報７Ｅｃ−２が記録された場合には、付属物情報出力手段８は、付属物の情報６ｂ−２（付属物の情報７Ｅｃ−２に対応する情報）を出力する。
【０２８７】
併せて、付属物情報出力手段８は、商品の内容の情報６ａに紐付けられた出力対象情報６ｃに基づいて、情報提供者情報を出力する（新規顧客端末に情報が表示される）。具体的には、例えば、出力対象情報６ｃに出力対象として「付属物の情報７Ｅｃ」が記録され、「出力付属物情報」として「付属物の情報７Ｅｃ−２」が記録されている場合には、付属物の情報７Ｅｃ−２と、付属物の情報７Ｅｃに紐付けられた商品の情報７Ｅｂ、別商品の内容の情報７Ｅｆ、別商品の付属物の情報７Ｅｇのうち「付属物の情報７Ｅｃ−２」に対応する付属物の情報７Ｅｇ−２を出力する。
【０２８８】
その後、新規顧客４０が商品提供者２０の商品２００の提供を受ける場合（商品提供者２０の商品２００を購入する場合）には、商品提供者２０が新規顧客４０に対して商品２００を提供する。また、商品提供者２０は、商品２００と共に、付属物２０１の現物を新規顧客４０に提供する。なお、付属物２０１としては、「出力付属物情報」に対応するものを提供する。
【０２８９】
なお、付属物情報出力手段８が情報を出力すると、情報提供者に「その旨」が送信される（情報提供者７Ｅに送信される場合について、図２中符号（６）で示すステップ）。
【０２９０】
［３．ポイントの付与］
付属物情報出力手段８が情報を出力すると、ポイント付与手段９は、付属物情報出力手段８が出力した情報の登録者にポイントを付与する。具体的には、例えば、付属物情報出力手段８が付属物の情報７Ｅｃを出力した場合には、「商品提供者２０の商品２００の価格」に還元率の情報７Ｅｄを乗じた価格に相当するポイントを付与し、保有するポイントの情報７Ｅｅが更新されることになる。
【０２９１】
［効果］
上記した本発明の商品情報提供システムでは、付属物の情報７Ｅｃによって、商品提供者２０の商品２００の品質を把握することができる。更に、別商品の内容の情報７Ｅｆや別商品の付属物の情報７Ｅｇによって、商品２００を別商品と比較して品質を把握することができる。
なお、商品２００の提供を受ける前に、付属物の情報７Ｅｃ等を確認することで、商品２００の品質を把握することができるために、新規顧客４０は商品提供者２０の商品２００の提供を受けるか否か（商品２００を購入するか否か）の判断材料を得ることができる。
【０２９２】
また、付属物の情報６ｂと付属物の情報７Ｅｃの双方が出力され、商品を提供する側（商品提供者２０）と商品を提供される側（情報提供者３０Ｅ）の双方の情報に基づいて付属物２０１の特定を行うことにより、情報の改竄や偽造等を抑止することができる。
【０２９３】
同様に、商品の内容の情報６ａと商品の内容の情報７Ｅｂの双方が出力され、商品を提供する側（商品提供者２０）と商品を提供される側（情報提供者３０Ｅ）の双方の情報に基づいて商品２００の特定を行うことにより、情報の改竄や偽造等を抑止することができる。
【０２９４】
また、情報提供者にポイントが付与されることから、情報提供者情報を登録しようというインセンティブが高まり、情報提供者情報の充実（数量の充実、品質の充実）が期待でき、結果として、付属物を通じてより一層商品２００の品質を把握することができる。
【０２９５】
また、情報提供者自身が付属物の情報や還元率の情報を登録できること、商品提供者２０が選択した情報提供者情報に対してのみポイントが付与されること、から、情報提供者情報の品質が高められることが期待でき、このことによっても、付属物を通じてより一層商品２００の品質を把握することができる。
【０２９６】
［変形例１］
上記した本発明の商品情報提供システムの一例では、付属物の情報７Ｅｃが出力される場合を例に挙げて説明を行っているが、新規顧客４０が付属物の情報を確認することができれば充分であるために、付属物の情報７Ｅｃにアクセスできる識別情報（二次元バーコードやカラーコード等の識別子）を出力しても良い。
この場合、識別情報を用いて、新規顧客端末で付属物の情報７Ｅｃが掲載されたウェブサイト等にアクセスして、付属物の情報７Ｅｃを確認することになる。
【０２９７】
なお、変形例１のように、識別情報を通じて付属物の情報７Ｅｃにアクセスする場合は、アクセスしたウェブサイトには同一の情報が掲載されているであろうという新規顧客の期待を考慮して、情報提供者情報記録手段７Ｅの付属物の情報７Ｅｃが変更された場合であっても、変更前に出力した識別情報でアクセスするウェブサイトには変更前の付属物の情報７Ｅｃが掲載されるようにしても良い。
【０２９８】
［変形例２］
上記した本発明の商品情報提供システムの一例では、所定の商品２００と共に付属物２０１を提供する場合を例に挙げて説明を行っているが、必ずしも付属物２０１が提供される必要はなく、商品提供者２０から商品２００のみが提供されても良い。
【０２９９】
［変形例３］
更に、上記した本発明の商品情報提供システムの一例では、情報提供者情報の付属物の情報（７Ａｃ，７Ｂｃ，７Ｃｃ，７Ｄｃ，７Ｅｃ，７Ｆｃ）として、「商品提供者２０が提供した付属物２０１の情報」を例に挙げ、付属物の情報６ｂと同種である（即ち、情報提供者情報の付属物の情報も付属物６ｂの情報も、付属物２０１に関する情報であるという点で共通している）場合の説明を行っているが、情報提供者情報の付属物の情報と付属物６ｂの情報は必ずしも同種である必要はなく、所定の商品２００の品質理解のための情報であれば、いかなる情報であっても良い。
【０３００】
［変形例４］
また、上記した商品情報提供システムの構成例の一例（図１）に、ＡＩ情報記録手段Ｙ１を付加しても良い（図４参照）。
ＡＩ情報記録手段Ｙ１は、商品提供者情報記録手段６に記録された商品提供者情報や、情報提供者情報記録手段７に記録された情報提供者情報に基づいて、人工知能（ＡＩ）が各種データベースから収集した所定の情報が記録される。なお、ここでの「所定の情報」とは、例えば、商品提供者が提供する商品の品質に関する情報等、特に限定されるものではない。
また、サーバ４にアクセスした新規顧客４０に対して、ＡＩ情報記録手段Ｙ１に記録された情報を出力する（新規顧客端末に情報が表示される）。
【０３０１】
［変形例５］
また、上記した［変形例４］のＡＩ情報記録手段Ｙ１に代えて、サーバ４にアクセスした新規顧客４０に対して、商品提供者情報記録手段６に記録された商品提供者情報や、情報提供者情報記録手段７に記録された情報提供者情報に基づいて、人工知能（ＡＩ）が各種データベースから収集した所定の情報を提供する（換言すると、新規顧客端末に、ＡＩが各種データベースから収集した所定の情報を表示する）ＡＩ情報出力手段を有しても良い。
【０３０２】
［変形例６］
上記した本発明の商品情報提供システムの一例では、出力対象情報６ｃに記録された出力対象（例えば、付属物の情報７Ｅｃ）が、複数の付属物の情報（付属物の情報７Ｅｃ−１，７Ｅｃ−２，７Ｅｃ−３）を有し、こうした複数の付属物の情報の中から、「出力付属物情報」に基づいて、出力対象を選択する（例えば、付属物の情報７Ｅｃ−２）場合を例に説明を行っている。
しかしながら、情報受領者である新規顧客が希望する情報を出力できれば充分であって、単一の付属物の情報を有する複数の出力対象（例えば、付属物の情報７Ｅｃ，７Ｅｄ）を出力対象情報６ｃに記録し、複数の出力対象（例えば、付属物の情報７Ｅｃ，７Ｅｄ）の中から、「出力付属物情報」に基づいて、出力対象を選択（例えば、付属物の情報７Ｅｃ）しても良い。
更には、複数の付属物の情報を有する複数の出力対象（例えば、「付属物の情報７Ｅｃ−１，７Ｅｃ−２，７Ｅｃ−３を有する付属物の情報７Ｅｃ」、「付属物の情報７Ｅｄ−１，７Ｅｄ−２，７Ｅｄ−３を有する付属物の情報７Ｅｄ」）を出力対象情報６ｃに記録し、複数の出力対象の中から、「出力付属物情報」に基づいて、出力対象を選択しても良い。
【０３０３】
＜２．第２の実施の形態＞
図３は、本発明のサービス情報提供システムの構成例の一例を説明するための模式図である。
図３で示すサービス情報提供システム１１は、サービス提供者が利用するサービス提供者端末１２と、情報提供者が利用する情報提供者端末１３（１３Ａ，１３Ｂ，１３Ｃ，１３Ｄ，１３Ｅ，１３Ｆ）と、サーバ１４とで構成される。
また、サービス提供者端末１２、及び、情報提供者端末１３は、インターネット１５を介してサーバ１４とやり取り可能に構成されている。
【０３０４】
ここで、本発明のサービス情報提供システムの構成例（図３）は、本発明の商品情報提供システムの構成例（図１）の「商品」を「サービス」に、「付属物」を「契約」に置き換えたものである。
なお、商品提供者端末２がサービス提供者端末１２、情報提供者端末３が情報提供者端末１３、サーバ４がサーバ１４、インターネット５がインターネット１５、商品提供者情報記録手段６がサービス提供者情報記録手段１６、情報提供者情報記録手段７が情報提供者情報記録手段１７、付属物情報出力手段８が契約情報出力手段１８、ポイント付与手段９がポイント付与手段１９にそれぞれ対応するものである。
【０３０５】
また、本発明のサービス情報提供システムの構成例（図３）は、本発明の商品情報提供システムの構成例（図１）の「情報受領者情報記録手段Ｘ１」に換えて、契約情報出力手段１８が出力する契約の情報を特定するための「出力契約情報」を記録可能な「情報受領者情報記録手段Ｘ２」を設けたものである。
【０３０６】
なお、本発明のサービス情報提供システムでは、付属物情報出力手段８が出力する「付属物の情報（商品の品質理解のための情報）」に換えて、契約情報出力手段１８が「サービス提供者からサービスを提供されるための契約内容（サービスの価格の情報も含む）」を出力することになる。
【０３０７】
［効果］
本発明のサービス情報提供システムについては、サービス提供者のサービスの価格や契約内容を把握することができる。更に、別サービスの内容の情報や、別サービスの価格や契約内容をも把握することができるために、サービス提供者が提供するサービスを別サービスと比較して価格や契約内容を把握することができる。
なお、サービス提供者が提供するサービスの提供を受ける前に、サービスの価格や契約内容を確認することができるために、新規顧客はサービス提供者が提供するサービスの提供を受けるか否か（サービス提供者が提供するサービスを購入するか否か）の判断材料を得ることができる。
【０３０８】
また、サービスを提供する側（サービス提供者）とサービスを提供される側（情報提供者）の双方の情報に基づいてサービス提供者が提供するサービスの価格や契約内容の特定を行うことにより、情報の改竄や偽造等を抑止することができる。
【０３０９】
同様に、サービスを提供する側（サービス提供者）とサービスを提供される側（情報提供者）の双方の情報に基づいて、サービス提供者が提供するサービスの内容の特定を行うことにより、情報の改竄や偽造等を抑止することができる。
【０３１０】
また、情報提供者にポイントが付与されることから、情報提供者情報を登録しようというインセンティブが高まり、情報提供者情報の充実（数量の充実、品質の充実）が期待でき、結果として、より一層サービスの価格や契約内容を把握することができる。
【０３１１】
また、情報提供者自身が契約内容（価格の情報も含む）や還元率の情報を登録できること、サービス提供者が選択した情報提供者に対してのみポイントが付与されること、から、情報提供者情報の品質が高められることが期待でき、このことによっても、より一層サービスの価格や契約内容を把握することができる。
【０３１２】
［変形例７］
上記したサービス情報提供システムの構成例の一例（図３）に、ＡＩ情報記録手段を付加しても良い。
ＡＩ情報記録手段は、サービス提供者情報記録手段１６に記録されたサービス提供者情報や、情報提供者情報記録手段１７に記録された情報提供者情報に基づいて、人工知能（ＡＩ）が各種データベースから収集した所定の情報が記録される。なお、ここでの「所定の情報」とは、例えば、サービス提供者が提供するサービスの品質に関する情報等、特に限定されるものではない。
また、サーバ１４にアクセスした新規顧客に対して、ＡＩ情報記録手段に記録された情報を出力する（新規顧客端末に情報が表示される）。
【０３１３】
［変形例８］
また、上記した［変形例７］のＡＩ情報記録手段に代えて、サーバ１４にアクセスした新規顧客に対して、サービス提供者情報記録手段１６に記録されたサービス提供者情報や、情報提供者情報記録手段１７に記録された情報提供者情報に基づいて、人工知能（ＡＩ）が各種データベースから収集した所定の情報を提供する（換言すると、新規顧客端末に、ＡＩが各種データベースから収集した所定の情報を表示する）ＡＩ情報出力手段Ｙ２を有しても良い（図５参照）。
【符号の説明】
【０３１４】
１    商品情報提供システム
２    商品提供者端末
３    情報提供者端末
４    サーバ
５    インターネット
６    商品提供者情報記録手段
７    情報提供者情報記録手段
８    付属物情報出力手段
９    ポイント付与手段
１１    サービス情報提供システム
１２    サービス提供者端末
１３    情報提供者端末
１４    サーバ
１５    インターネット
１６    サービス提供者情報記録手段
１７    情報提供者情報記録手段
１８    契約情報出力手段
１９    ポイント付与手段
２０    商品提供者
３０    情報提供者
４０    新規顧客
２００    商品
２０１    付属物
Ｙ１    ＡＩ情報記録手段
Ｙ２    ＡＩ情報出力手段
【図１】
2020194527.tif 000003
【図２】
2020194527.tif 000004
【図３】
2020194527.tif 000005
【図４】
2020194527.tif 000006
【図５】
2020194527.tif 000007
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
所定の商品の情報を含み、商品提供者の端末から送信された情報を、商品提供者情報として記録する商品提供者情報記録手段と、
前記商品提供者から提供された前記商品の情報と、前記商品提供者から提供された前記商品の品質理解のための付属物の情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記商品提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
商品情報提供システム。
【請求項２】
前記商品提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１に記載の商品情報提供システム。
【請求項３】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項１または請求項２に記載の商品情報提供システム。
【請求項４】
前記商品提供者情報は、前記商品提供者が提供する前記商品の品質理解のための情報、若しくは、前記付属物の情報を含む
請求項１、請求項２または請求項３に記載の商品情報提供システム。
【請求項５】
商品提供者から提供された商品の品質理解のための付属物の情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記商品提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
商品情報提供システム。
【請求項６】
前記商品提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項５に記載の商品情報提供システム。
【請求項７】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項５または請求項６に記載の商品情報提供システム。
【請求項８】
所定のサービスの情報を含み、サービス提供者の端末から送信された情報を、サービス提供者情報として記録するサービス提供者情報記録手段と、
前記サービス提供者から提供された前記サービスの情報と、前記サービス提供者から提供された前記サービスの品質理解のための付属物の情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記サービス提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
サービス情報提供システム。
【請求項９】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項８に記載のサービス情報提供システム。
【請求項１０】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項８または請求項９に記載のサービス情報提供システム。
【請求項１１】
前記サービス提供者情報は、前記サービス提供者が提供する前記サービスの品質理解のための情報、若しくは、前記付属物の情報を含む
請求項８、請求項９または請求項１０に記載のサービス情報提供システム。
【請求項１２】
サービス提供者から提供されたサービスの品質理解のための付属物の情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記付属物の情報、若しくは、前記選択情報提供者情報に含まれる前記付属物の情報にアクセス可能な識別情報を出力する情報出力手段と、
前記情報出力手段が情報を出力することによって、前記付属物の情報が利用された前記情報提供者に対して、ポイントを付与するポイント付与手段と、を備え、
前記情報出力手段は、
前記選択情報提供者情報に含まれる複数の前記付属物の情報の中から、前記サービス提供者及び前記情報提供者とは異なる情報受領者が選択した前記付属物の情報を出力する、
若しくは、
前記選択情報提供者情報に含まれる複数の前記付属物の情報の中から、前記情報受領者が選択した前記付属物の情報にアクセス可能な識別情報を出力する、
若しくは、
前記選択情報提供者情報である複数の前記情報提供者情報の中から、前記情報受領者が選択した前記情報提供者情報に含まれる前記付属物の情報を出力する、
若しくは、
前記選択情報提供者情報である複数の前記情報提供者情報の中から、前記情報受領者が選択した前記情報提供者情報に含まれる前記付属物の情報にアクセス可能な識別情報を出力する
サービス情報提供システム。
【請求項１３】
前記サービス提供者の端末から送信された第１の特定情報であって、前記情報提供者情報記録手段に記録された複数の前記情報提供者情報のうち、前記選択情報提供者情報を特定するための前記第１の特定情報を記録する第１の特定情報記録手段を備え、
前記情報出力手段は、前記第１の特定情報記録手段に記録された前記第１の特定情報に基づいて出力する
請求項１２に記載のサービス情報提供システム。
【請求項１４】
前記情報提供者情報は、前記品質理解のための情報、若しくは、前記付属物の情報が利用された場合の還元率の情報を含み、
前記ポイント付与手段は、前記情報出力手段が出力する情報を有する前記情報提供者情報に含まれる還元率の情報に応じたポイントを付与する
請求項１２または請求項１３に記載のサービス情報提供システム。